(57)【要約】  本発明では、実店舗型小売場所で実施するための複合自動化サービス及びセルフサービス店舗を提供する。店舗及び対応する実施方法は、実店舗型場所に展開されたロボットがオンライン又は店内のいずれかで顧客によって発注された交換可能商品の注文を満たす自動化サービスモデルである。店舗はまた、顧客が品目を選択／注文すること及び／又は交換不能商品を自分自身で選択することができる買物セクションを含む。店舗は、顧客が手で抜き取ることを好む交換不能商品のための買物セクションと、他の商品（例えば、交換可能商品、乾物など）のためのバックエンド自動化注文履行セクションとを含む。商品の２つのセットは、配達バンドルにまとめられて一緒に配達されて顧客によって引き取られる。本発明は、小売業者に対するコストを低減し、かつ同時に顧客満足度を高める非従来手法を使用して、オンライン買物及びセルフサービス買物の利便性を組み合わせる。【選択図】図４Ｂ
2020514203.tif 000002
【特許請求の範囲】
【請求項１】
選択のために１又は２以上の交換不能商品を顧客に提示するように構成された市場と、
前記顧客によって選択された１又は２以上の交換可能商品の注文を受信するように構成された自動化履行システムであって、
該自動化履行システムが、
通路によって分離された複数のラック構造を含み、かつ複数の保管レベルを有し、複数のトートを保管するように構成された保管構造、及び
前記保管構造からのトートを保管してそれを取り出すことができる少なくとも１つの移動ロボット、
を含み、
該自動化履行システムが、前記１又は２以上の交換可能商品を抜き取り、かつ前記顧客への配達のために該１又は２以上の交換可能商品を１又は２以上の注文品容器に入れる、
前記自動化履行システムを含む自動化履行セクションと、
前記１又は２以上の注文品容器を前記自動化履行セクションから前記顧客又は配達プロキシまで配達するように構成された配達セクションと、
を含むことを特徴とする自動化店舗。
【請求項２】
前記自動化履行システムは、前記顧客又はプロキシピッカーによって前記市場から抜き取られた交換不能商品を収容する容器を保管することを特徴とする請求項１に記載の自動化店舗。
【請求項３】
前記配達セクションは、前記自動化履行セクションからの前記１又は２以上の交換可能商品を１又は２以上の選択された交換不能商品と組み合わせて前記顧客又は前記配達プロキシへの配達のための配達バンドルにするように更に構成されることを特徴とする請求項１に記載の自動化店舗。
【請求項４】
前記市場は、選択可能な画像である前記１又は２以上の交換可能商品の画像を有する仮想ディスプレイを更に含むことを特徴とする請求項１に記載の自動化店舗。
【請求項５】
前記市場は、走査可能なコードを含む前記１又は２以上の交換可能商品の物理ディスプレイを更に含むことを特徴とする請求項１に記載の自動化店舗。
【請求項６】
前記顧客からの命令に基づいて前記交換不能商品をカスタム抜き取る人間又はロボットであるピッカーを含む抜き取り「ステーションを更に含むことを特徴とする請求項１に記載の自動化店舗。
【請求項７】
前記１又は２以上の交換不能商品を収容するトートを受け入れるように構成された引き渡しステーションを更に含むことを特徴とする請求項１に記載の自動化店舗。
【請求項８】
前記引き渡しステーションは、前記１又は２以上の交換不能商品を識別するように構成された評価ツールを含み、
前記評価ツールは、重量を決定するためのスケールを含み、
前記評価ツールは、画像、ラベル、又はコードを読み取るための光学スキャナを含む、
ことを特徴とする請求項７に記載の自動化店舗。
【請求項９】
前記１又は２以上の交換不能商品は、前記トートに置かれることを特徴とする請求項７に記載の自動化店舗。
【請求項１０】
前記配達バンドルは、前記１又は２以上の交換可能商品、前記１又は２以上の交換不能商品、又は両方を収容する１又は２以上の買物バッグを含むことを特徴とする請求項１に記載の自動化店舗。
【請求項１１】
前記市場は、自動化店舗の地表面上にあり、前記自動化履行セクションは、該市場の上方にあることを特徴とする請求項１に記載の自動化店舗。
【請求項１２】
前記自動化履行セクションは、自動化店舗の地表面上にあり、前記市場は、該自動化履行セクションの上方にあることを特徴とする請求項１に記載の自動化店舗。
【請求項１３】
保管システムを更に含み、
前記自動化履行セクションは、前記少なくとも１つの移動ロボットによる自動化抜き取り「のために構成された前記保管システムに交換可能商品の在庫を含む、
ことを特徴とする請求項１に記載の自動化店舗。
【請求項１４】
前記１又は２以上の交換可能商品は、前記自動化履行システムの前記複数のラックモジュールに保管されたトートに配置されることを特徴とする請求項１に記載の自動化店舗。
【請求項１５】
前記少なくとも１つの移動ロボットは、前記保管構造全体を通して水平及び垂直にそれ自体で推進し、トートを該保管構造に入れ、トートを該保管構造から取り出し、かつトートを搬送することを特徴とする請求項１に記載の自動化店舗。
【請求項１６】
自動化店舗での自動化注文履行の方法であって、
１又は２以上の商品に対する少なくとも１つの注文を顧客又は該顧客のためのプロキシから受信する段階と、
前記１又は２以上の商品を収容する製品容器を在庫から引き出し、かつ該製品容器をワークステーションに配達するために１又は２以上のロボットを派遣する段階と、
前記ワークステーションで前記１又は２以上の商品を前記製品容器から前記少なくとも１つの注文に関連付けられた注文品容器に移す段階と、
前記注文品容器を前記顧客又は配達プロキシまで配達する段階と、
を含むことを特徴とする方法。
【請求項１７】
前記少なくとも１つの注文は、遠隔場所から発するオンライン注文及び前記自動化店舗から発する対面注文のうちの少なくとも一方であることを特徴とする請求項１６に記載の方法。
【請求項１８】
自動化店舗サービスモデルを実施するためのシステムであって、
少なくとも１人の顧客又は該顧客のためのプロキシから少なくとも１つの注文を受信するように構成された注文処理ツールと、
前記少なくとも１人の顧客又はプロキシピッカーによって手で抜き取られた１又は２以上の交換不能商品を集計するように構成された交換不能商品履行ツールと、
前記少なくとも１つの注文内に含まれる１又は２以上の交換可能商品を抜き取るように自動化ロボットに命令するように構成された自動化サービス履行ツールと、
を含むことを特徴とするシステム。
【請求項１９】
自動化店舗で買物をする方法であって、
買物端末を利用して自動履行のための１又は２以上の交換可能商品を発注する段階と、
交換不能商品履行セクション内で前記１又は２以上の交換不能商品を収集して集計する段階と、
１又は２以上の交換可能商品の前記注文を受信する段階と、
を含むことを特徴とする方法。
【請求項２０】
１又は２以上の交換不能商品を収集して集計する前記段階は、
前記１又は２以上の交換不能商品のうちの交換不能商品に関連付けられた第１の識別子を取り込む段階と、
前記交換不能商品を計量するためのスケールに関連付けられた第２の識別子を取り込む段階と、
前記スケール上で前記交換不能商品を計量する段階と、
前記交換不能商品の前記第１の識別子を該交換不能商品を計量する前記スケールの前記第２の識別子に関連付ける段階と、
前記第１の識別子、前記第２の識別子、及び該第１及び第２の識別子の前記関連付けに基づいて前記交換不能商品の価格を決定する段階と、
を含む、
ことを特徴とする請求項１９に記載の方法。
【請求項２１】
前記第１及び第２の識別子を関連付ける前記段階は、入力デバイスを用いた該第２の識別子の前記取り込みを該同じ入力デバイスを用いた該第１の識別子の前記取り込みの直後に検出する段階を含むことを特徴とする請求項２０に記載の方法。
【請求項２２】
前記１又は２以上の交換可能商品及び前記１又は２以上の交換不能商品を検証する段階を更に含むことを特徴とする請求項１９に記載の方法。
【請求項２３】
前記１又は２以上の交換可能商品及び前記１又は２以上の交換不能商品に対する支払を受信する段階を更に含むことを特徴とする請求項１９に記載の方法。
【請求項２４】
顧客が自動化履行システムによる履行のための１又は２以上の交換可能商品を閲覧して選択することを可能にするように構成された１又は２以上の買物端末、
前記顧客が１又は２以上の交換不能商品を閲覧して選択することを可能にするように構成された交換不能商品履行セクション、
を含む買物セクションと、
前記顧客への配達のための前記１又は２以上の交換可能商品を抜き取る前記自動化履行システム、
を含む履行セクションと、
前記１又は２以上の交換可能商品が前記自動化履行システムによって前記顧客又は該顧客のための配達プロキシまで配達される配達履行セクションと、
を含むことを特徴とする自動化店舗。
【請求項２５】
顧客が自動化履行システムによる履行のための１又は２以上の交換可能商品を閲覧して選択することを可能にするように構成された入力デバイス、
前記顧客が１又は２以上の交換不能商品を閲覧して選択することを可能にするように構成された交換不能商品履行セクション、
を含む買物セクションと、
前記顧客又は該顧客のための配達プロキシへの配達のための前記選択された１又は２以上の交換可能商品を抜き取る前記自動化履行システム、
を含む履行セクションと、
前記１又は２以上の交換可能商品が前記顧客又は該顧客のための配達プロキシまで配達される配達履行セクションと、
を含むことを特徴とする自動化店舗。
【請求項２６】
前記入力デバイスは、走査可能な製品パッケージング、走査可能な製品画像、又は仮想電子表示式かつ選択可能な製品ユーザインタフェースのうちの１又は２以上を含むことを特徴とする請求項２３に記載の自動化店舗。
【請求項２７】
前記顧客が前記１又は２以上の交換可能商品及び前記１又は２以上の交換不能商品に対する支払をレンダリングすることを可能にするように構成された支払システムを更に含むことを特徴とする請求項２３に記載の自動化店舗。
【請求項２８】
前記支払システムは、１又は２以上の対話型キオスクを含むことを特徴とする請求項２５に記載の自動化店舗。
【請求項２９】
前記支払システムは、支払を実行するために顧客デバイスによってアクセスされる仮想支払システムを含むことを特徴とする請求項２５に記載の自動化店舗。
【請求項３０】
顧客又はプロキシピッカーが購入のための１又は２以上の商品を選択する顧客買物区域を含む買物セクションと、
前記顧客又は自動化店舗での該顧客のための配達プロキシへの配達のための前記選択された１又は２以上の商品のうちの少なくとも一部を抜き取るように構成された自動化履行システムを含む履行セクションと、
を含むことを特徴とする自動化店舗。
【請求項３１】
前記買物セクションは、顧客が前記自動化履行システムによる履行のための１又は２以上の交換可能商品を閲覧して選択することを可能にするように構成された製品選択機構を更に含むことを特徴とする請求項２８に記載の自動化店舗。
【請求項３２】
前記買物セクションは、前記顧客が購入のための１又は２以上の交換不能商品を閲覧して選択することを可能にするように構成された交換不能商品履行セクションを更に含むことを特徴とする請求項２８に記載の自動化店舗。
【請求項３３】
前記顧客が前記１又は２以上の交換可能商品及び前記１又は２以上の交換不能商品に対する支払をレンダリングすることを可能にするように構成された支払システムを更に含むことを特徴とする請求項２８に記載の自動化店舗。
【請求項３４】
前記１又は２以上の交換可能及び／又は交換不能商品が前記自動化履行システムによって前記顧客又は該顧客のための配達プロキシまで配達される配達履行セクションを更に含むことを特徴とする請求項２８に記載の自動化店舗。
【請求項３５】
交換不能商品に関連付けられた第１の識別子と、
前記交換不能商品を計量するためのスケールと、
前記スケールに関連付けられた第２の識別子と、
前記第１及び第２の識別子を取り込むための入力デバイスと、
前記第１及び第２の識別子とを関連付けて、
前記第１の識別子、前記第２の識別子、及び該第１及び第２の識別子の前記関連付けから前記交換不能商品の価格を決定する、
ように構成されたプロセッサと、
を含むことを特徴とする自動化店舗。
【請求項３６】
前記入力デバイスは、バーコード読取器であることを特徴とする請求項３５に記載の自動化店舗。
【請求項３７】
前記入力デバイスは、ＲＦＩＤスキャナであることを特徴とする請求項３５に記載の自動化店舗。
【発明の詳細な説明】
【技術分野】
【０００１】
本発明は、実店舗及びオンライン買物方法及びシステムを組み合わせるのに適する小売場所での自動化サービスのためのシステム及び方法に関する。特に、本発明は、複合自動化及びセルフサービス買物体験を提供する小売場所に関する。
【背景技術】
【０００２】
１９１６年のＣｌａｒｅｎｃｅ  Ｓａｕｎｄｅｒｓによるその発明（米国特許第１，２４２，８７２号明細書）以来、セルフサービス店舗は、百年後に総称「店舗」がデフォルトでセルフサービス店舗を意味する程度までに小売業界を支配するようになった。実際に、多くの人々、特に小売業者にとって実店舗型小売モデル又はシステムの異なる形態を想像することさえ困難である。
【０００３】
１９９０年代後半のインターネットの出現以来、特にＡｍａｚｏｎ・インコーポレーテッドのようなオンライン小売業者によって実施されているような電子商取引の利点は、消費者に彼らの買物の着実に増加する割合がオンラインシステムにシフトすることを納得させた。僅か２０年後に、電子商取引は、そのようなオンラインサービスが、現在専門家によってセルフサービスモデルの下で運用している実店舗型小売業に対して存在の脅威を呈すると見られるほど、一般的に対面小売買物にとって非常に破壊的になっている。
【０００４】
しかし、実店舗型場所及びオンライン買物方法及びシステムの両方は、一部の欠点に遭遇している。実店舗型場所に関して、セルフサービス店舗モデルは、インターネットの創造と共に時代遅れになり、小売業者は、オンラインで買物をする時に低価格及び利便性を提供することができるオンライン小売業者に市場シェアを明け渡している。セルフサービス店舗と比較してオンライン買物にはいくつかの説得力のある利点がある。例えば、顧客は、店舗に足を運ぶことを必要とせずに単純に電子的に注文することができ、小売業者は（顧客ではなく）、品目を抜き取り「及び出荷して注文を履行することに責任がある。その結果、オンライン買物は、セルフサービスモデルの必要悪である万人に嫌われるレジ待ちの列に耐える必要性を排除するという追加の利益を可能にする。オンラインで買物をすることの追加の利点は、顧客が、どの場所からどの時刻でも注文することができること、履行センターが個々の実店舗よりも遥かに大きい保管容量を有するので、かつよりロングテールの製品が経済的見地から仕入れられて単一店舗で買物をする場合よりも遥かに広範な顧客プールからの集約された要求に仕えることができるので、製品の品揃えをより広範に大きくすることができること、一連の強力な意思決定支援ツールが、オンラインで、特に製品レビューで買物客に利用可能であること、及び注文品を通常は顧客にとって非常に便利である顧客の自宅まで配達することができることである。
【０００５】
オンライン小売業に関して、オンライン注文の普及は、異なる製品及び店舗カテゴリにわたって非均一であり、食品における普及は、他の全ての主要カテゴリよりも劇的に低い。この相違の理由の一部は、確かに食品腐敗制約及び配達機能の得られる物流複雑性に対処する必要があることである。しかし、より根本的な理由は、オンラインに対する実店舗型場所のその相対的な利点が、他のどのカテゴリよりも食品では遥かに重要であることである。
【０００６】
特に、顧客の観点からは、実店舗型小売業は、（１）即時性、すなわち、注文履行が現地で保管された抜き取り「ストックから非常に迅速に行えること、（２）顧客が製品をそれらを購入する前に物理的に検査する機会（例えば、交換不能、損傷など）、（３）サービス提供する店内の販売職員の利用可能性、及び（４）刺激的な店内体験及び顧客が大切にする社会的交流を提供する機会を含むオンライン小売業と比べたいくつかの利点を有する。
【０００７】
オンライン買物と対面セルフサービス買物の間のギャップを埋めようとして、実店舗型小売業者は、電子商取引に進出しており、顧客に対してオンラインで彼らの注文を発注して店舗でそれらを引き取るか又はそれらを彼らの自宅まで配達させる機会を提供している。しかし、セルフサービス小売業者によって実施されるオンライン注文方法は、小売業者に注文品を抜き取るコスト（セルフサービス顧客が小売業者に対して通常は無料で行うタスク）を負うことを要求し、かつこれらの追加コストを網羅するための値上げからの競合圧力によって抑制される。更に、これらの注文品の店内での抜き取り「は、セルフサービス顧客にとって非常に非効率かつ有害であり、比較的少ない販売量でさえも、履行を専用施設に移行することを小売業者に強いる。オンライン販売を提供している実店舗型小売業者は、一般的に、売上高を増大することなく変動コスト及び固定コストの両方の増加を体験している（すなわち、人々は、彼らがオンラインで注文するのでより多くは食事しない）。従って、この「マルチチャネル」モデルは、最終的には複雑な戦略であり、成功裏に実施することが困難である。小売業者のオンラインへの移行が成功裏であるほど、小売業者が店舗の閉鎖又は倒産を強いられることになるのが速い。
【先行技術文献】
【特許文献】
【０００８】
【特許文献１】米国特許第１，２４２，８７２号明細書
【特許文献２】米国特許第９，１３９，３６３号明細書
【特許文献３】米国特許出願公開第２０１４／０２８８６９６号明細書
【特許文献４】米国特許出願第１５／１７１，８０２号明細書
【発明の概要】
【発明が解決しようとする課題】
【０００９】
オンライン小売業者と競合することができる実店舗型場所で顧客に対する最適買物体験を実施することができるシステム及び方法に対する必要性が存在する。本発明は、他の望ましい特性を有することに加えて、この必要性に対処する更に別のソリューションに向けられる。具体的には、本発明は、顧客体験及び小売業者収益性の両方に関して、セルフサービス実店舗型小売モデル及びオンライン小売業者型モデルの両方よりも明らかに優れている実店舗型小売場所で実施される自動化サービス運用モデルを可能にする。特に、本発明は、セルフサービスモデル小売場所を商品の全部又は一部のための高度に自動化された注文履行センターに変換する方法及びシステムを食品小売業者を含む小売業者に提供する。
【課題を解決するための手段】
【００１０】
本発明の例示的実施形態により、自動化店舗を提供する。自動化店舗は、自動化履行セクションと、レジセクションを含む買物セクションと、配達セクションとを有する建物を含む。買物セクションは、注文選択に対して交換可能商品を顧客に提示する模擬市場と、擬似市場から１又は２以上の交換可能商品を選択するための１又は２以上の買物端末と、カスタム抜き取り「式選択のために１又は２以上の交換不能商品を提示する１又は２以上の抜き取り「ステーションとを含む。自動化履行セクションは、自動化履行システムを含む。自動化履行システムは、通路によって分離された複数のラックモジュールを含み、かつ複数の保管レベルを有する保管構造を含み、保管構造は、空の保管トートの時に空であり、保管トートの時は各々を収容し、注文品トートの時は注文品を収容し、又はその組合せである複数のトートを保管する。自動化履行システムはまた、トートを保管してそれを保管構造から取り出すことができる少なくとも１つの移動ロボットを含み、自動化履行システムは、１又は２以上の交換可能商品を抜き取り、かつ１又は２以上の交換可能商品を顧客に配達するために１又は２以上の注文品トートに編成する。レジセクションは、１又は２以上の抜き取り「ステーションから抜き取られた１又は２以上の交換不能商品を受け入れる１又は２以上の交換不能商品引き渡しステーションと、顧客が１又は２以上の交換可能商品及び１又は２以上の交換不能商品に対する支払をレンダリングすることを可能にする構成を有する１又は２以上のレジ端末とを含む。配達セクションは、自動化履行セクションからの１又は２以上の交換可能商品を買物セクションから抜き取られた１又は２以上の交換不能商品と組み合わせて配達バンドルにする融合モジュールと、配達バンドルを受け入れ、かつ顧客が配達バンドルの配達を取るために到着するまで割り当てられた場所に配達バンドルを保管する引取ステーションとを含む。
【００１１】
本発明の態様により、模擬市場は、走査可能な画像又はコードである１又は２以上の交換可能商品の仮想又は有形表示を含む。
【００１２】
本発明の態様により、１又は２以上の買物端末は、注文選択のために購入可能な商品を顧客に提示する。
【００１３】
本発明の態様により、抜き取り「ステーションは、顧客が交換不能商品を直接手で抜き取ることを可能にする。抜き取り「ステーションはまた、顧客からの命令に基づいて交換不能商品をカスタム抜き取るピッカーを含むことができ、ピッカーは、人間であり、及び／又はピッカーはロボットである。
【００１４】
本発明の態様により、引き渡しステーションは、１又は２以上の交換不能商品を識別するように構成された評価ツールを含む。評価ツールは、重量を決定するためのスケールと、画像、ラベル、又はコードを読み取るための光学スキャナと含む。
【００１５】
本発明の態様により、１又は２以上の交換不能商品は、買物セクション内の１又は２以上のトートに置かれる。１又は２以上の交換不能商品引き渡しステーションは、１又は２以上の交換不能商品を収容するトートを受け入れる。配達バンドルは、１又は２以上の交換可能商品、１又は２以上の交換不能商品、又は両方を収容する１又は２以上の買物バッグを含む。配達バンドルは、１又は２以上の買物バッグを含むことができる。
【００１６】
本発明の態様により、融合モジュールは、１又は２以上の交換不能商品及び１又は２以上の交換可能商品をトートから取り出し、かつそれらを好ましい配置で買物バッグの中に組み合わせる。例示的配置は、品目の重量に基づいており、より重い品目が買物バッグの底部上に置かれ、より軽い品目は上部に置かれる。例示的配置はまた、食料品が買物バッグに一緒に置かれ、非食料品が食料品とは別に買物バッグに一緒に置かれるように品目の内容に基づいている。例示的配置は、更に、品目のパッケージングの粉砕性に基づいている。
【００１７】
本発明の態様により、買物セクションは、自動化店舗の地表面上にあり、自動化履行セクションは、買物セクションの上方にある。
【００１８】
本発明の態様により、自動化履行セクションは、自動化店舗の地表面上にあり、買物セクションは、自動化履行セクションの上方にある。
【００１９】
本発明の態様により、自動化履行セクションは、複数のロボットによる自動化抜き取り「に向けて構成された保管システムに交換可能商品の在庫を含む。交換可能商品は、自動化履行システムのラックモジュールに保管されたトートに配置することができる。
【００２０】
本発明の態様により、少なくとも１つの移動ロボットは、保管構造全体を通して水平及び垂直にそれ自体で推進し、トートを保管構造に入れ、トートを保管構造から取り出し、かつトートを搬送する。
【００２１】
本発明の例示的実施形態により、自動化店舗での自動化注文履行の方法を提供する。本方法は、自動化店舗で１又は２以上の商品に対する少なくとも１つの注文を顧客から受信する段階と、複数のロボットを開始して抜き取り「ステーションで抜き取るための１又は２以上の商品を在庫から引き出す段階とを含む。本方法はまた、少なくとも１つの注文内の１又は２以上の商品のための商品を含む在庫品トートを在庫から引き出し、かつトートを抜き取り「ステーションと配達トートから１又は２以上の商品を引き出す抜き取り「ステーションのピッカーとに配達するように構成された複数のロボットを含む。本方法は、更に、少なくとも１つの注文に関連付けられた注文品トートに１又は２以上の商品を梱包する段階と、完了した注文品トートを顧客に配達する段階とを含む。
【００２２】
本発明の例示的実施形態により、少なくとも１つの注文は、遠隔場所から発するオンライン注文及び自動化店舗から発する対面注文のうちの一方である。少なくとも一方の注文のうちの各注文に対して複数のロボットを開始する段階は、注文の発生源に基づいて優先順位付けすることができる。
【００２３】
本発明の例示的実施形態により、自動化店舗サービスモデルを実施するためのシステムを提供する。システムは、少なくとも１人の顧客から少なくとも１つの注文を受信するように構成された注文処理ツールと、少なくとも１人の顧客によって手で抜き取られた１又は２以上の交換不能商品を集計するように構成された交換不能商品履行ツールとを含む。システムはまた、少なくとも１つの注文内に含まれる１又は２以上の交換可能商品を抜き取るように自動化ロボットに命令するように構成された自動化サービス履行ツールと、１又は２以上の交換不能商品を検証し、１又は２以上の交換不能商品及び１又は２以上の交換可能商品に対する支払を少なくとも１人の顧客から受信し、かつ１又は２以上の交換可能商品を少なくとも１人の顧客に配達するように構成された配達履行ツールとを含む。
【００２４】
本発明の例示的実施形態により、自動化店舗で買物をする方法を提供する。本方法は、買物端末を利用して自動化履行のための１又は２以上の交換可能商品を選択する段階と、交換不能商品履行セクションで１又は２以上の交換不能商品を収集かつ集計する段階と、１又は２以上の交換可能商品及び１又は２以上の交換不能商品を検証してそれに対して支払う段階と、１又は２以上の交換可能商品の配達を受け入れる段階とを含む。
【００２５】
本発明の例示的実施形態により、自動化店舗を提供する。自動化店舗は、買物セクションを含む。買物セクションは、顧客が自動化履行システムによる履行のための１又は２以上の交換可能商品を閲覧して選択することを可能にする構成を有する１又は２以上の買物端末と、顧客が顧客によって手で抜き取る選択のための１又は２以上の交換不能商品を閲覧して選択することを可能にする構成を有する交換不能商品履行セクションとを含む。自動化店舗はまた、履行セクションを含む。履行セクションは、顧客への配達のための１又は２以上の交換可能商品を抜き取る自動化履行システムと、顧客が１又は２以上の交換可能商品及び１又は２以上の交換不能商品に対する支払をレンダリングすることを可能にする構成を有する１又は２以上のレジキオスクと、１又は２以上の交換可能商品が自動化履行システムによって顧客に配達される配達履行セクションとを含む。
【００２６】
本発明の例示的実施形態により、自動化店舗は、買物セクションを含む。買物セクションは、顧客が自動化履行システムによる履行のための１又は２以上の交換可能商品を閲覧して選択することを可能にする構成を有する製品選択機構と、顧客が１又は２以上の交換不能商品を閲覧して選択することを可能にする構成を有する交換不能商品履行セクションとを含む。自動化店舗はまた、履行セクションを含む。履行セクションは、顧客への配達のために選択された１又は２以上の交換可能商品を抜き取る自動化履行システムと、顧客が１又は２以上の交換可能商品及び１又は２以上の交換不能商品に対する支払をレンダリングすることを可能にする構成を有する支払システムと、１又は２以上の交換可能商品が自動化履行システムによって顧客に配達される配達履行セクションとを含む。
【００２７】
本発明の例示的実施形態により、製品選択機構は、代表的製品パッケージング、走査可能製品画像、又は仮想電子表示式選択可能製品ユーザインタフェースのうちの１又は２以上を含む。
【００２８】
本発明の例示的実施形態により、支払システムは、１又は２以上の対話型キオスクを含む。支払システムはまた、支払を実行するために顧客デバイスによってアクセスされる仮想支払システムを含むことができる。
【００２９】
本発明の例示的実施形態による自動化店舗である。自動化店舗は、顧客が購入のための１又は２以上の商品の表示を提供する顧客買物区域を含む買物セクションと、履行セクションとを含む。履行セクションは、自動化店舗で顧客への配達のために選択された１又は２以上の商品を抜き取る自動化履行システムを含む。
【００３０】
本発明の例示的実施形態により、買物セクションは、顧客が自動化履行システムによる履行のための１又は２以上の交換可能商品を閲覧して選択することを可能にする構成を有する製品選択機構を含む。買物セクションはまた、顧客が購入のための１又は２以上の交換不能商品を閲覧して選択することを可能にする構成を有する交換不能商品履行セクションを含むことができる。
【００３１】
本発明の例示的実施形態により、自動化店舗は、顧客が１又は２以上の交換可能商品及び１又は２以上の交換不能商品に対する支払をレンダリングすることを可能にする構成を有する支払システムを更に含む。自動化店舗はまた、１又は２以上の交換可能商品が自動化履行システムによって顧客に配達される配達履行セクションを含むことができる。
【図面の簡単な説明】
【００３２】
本発明のこれら及び他の特徴は、添付図面と併せて以下の詳細説明を参照することによってより完全に理解されるであろう。
【００３３】
【図１】本発明の態様による段階を実施するための例示的モデルを示す図である。
【図２】本発明の態様による段階を実施するための例示的システムを示す図である。
【図３Ａ】本発明の態様による段階を実施するための店舗の例示的構造を示す図である。
【図３Ｂ】本発明の態様による段階を実施するための店舗の例示的構造を示す図である。
【図３Ｃ】本発明の態様による段階を実施するための店舗の例示的構造を示す図である。
【図４Ａ】本発明の態様による段階を実施するための店舗の内部レイアウトの例示的表現を示す図である。
【図４Ｂ】本発明の態様による段階を実施するための店舗の内部レイアウトの例示的表現を示す図である。
【図４Ｃ】本発明の態様による段階を実施するための店舗の内部レイアウトの例示的表現を示す図である。
【図５】本発明の態様による買物セクションと配達セクションの間の例示的移行を示す図である。
【図６Ａ】本発明の態様による例示的仮想模擬市場を示す図である。
【図６Ｂ】本発明の態様による例示的物理模擬市場を示す図である。
【図６Ｃ】本発明の態様による例示的物理模擬市場を示す図である。
【図７】本発明の態様による使用される買物バッグを含む注文品トートを示す図である。
【図８】本発明の態様による配達方法の例示的実施例を示す図である。
【図９】本発明の態様によるモデルの作動を描く例示的流れ図である。
【図１０】本発明の態様による処理を実施するための高レベルアーキテクチャの概略図である。
【発明を実施するための形態】
【００３４】
本発明の例示的実施形態は、実店舗型小売場所を用いて実施される自動化サービス店舗とセルフサービス店舗との組合せに関するものである。店舗及び対応する実施方法は、実店舗型場所に展開されたロボットがオンライン又は店内のいずれかで顧客によって発注された交換可能商品（例えば、予め包装された商品）の注文を満たす自動化サービスモデルである。実店舗型場所での店舗が提供され、この店舗は、顧客が手で抜き取ることを好む交換不能商品又は「新鮮な」品目（例えば、生鮮品、農産物など）の自動化サービスのためのフロントエンド買物セクションを含む。店舗はまた、他の商品（例えば、包装商品、乾物など）のためのバックエンド自動化注文履行セクションを含む。例示的実施形態により、顧客は、自動化システムを使用して抜き取られる包装商品の注文を発注し、交換不能商品を手で抜き取る。２つの商品セットは、まとめられて（レジ及び支払の後）、実店舗型場所での配送ステーションにおいて、顧客又は現地又は遠隔場所にいる顧客に搬送する配達プロキシに配送される。
【００３５】
食品小売業の例示的実施例では、通常は店舗の周辺売り場に位置する食肉及び農産物のような交換不能商品と、通常は店舗の中心にわたる棚に位置する交換可能商品との間には重要な相違がある。商品のこの相違は、品目の互換性、すなわち、「交換性」に関連する。交換可能商品に関して、所与の最小在庫管理単位（ＳＫＵ）の全ての「各々」は、顧客に重要な全ての点で互いに本質的に同一であり、従って、顧客の観点から交換可能である。従って、顧客は、小売業者に対してその顧客の交換可能商品の全てを選択させることに満足する。しかし、交換不能商品の場合に、所与のＳＫＵの各々は、食肉中の霜降り及び欠陥、色、並びに農産物の熟度のような顧客に対して重要な属性の点で異なるものである可能性があるために、顧客は、顧客自身で抜き取り「を行うことを好む。従って、多くの顧客（全部ではないが）は、小売業者に選択を委ねるのではなく、顧客自身で交換不能商品を選択することを好む。このように直接検査によって農産物を選択することを好むことは、食品におけるオンライン小売の普及がどのような理由で他のほとんど全ての取引カテゴリよりも非常に遅れているかに関するファクタとなっている。
【００３６】
本発明の開示の目的に対して、どの特定の各々が在庫から選択されるかに関して顧客が無関心である所与の商品又は製品の個々の品目単位又は各々が十分に同一である場合に、この商品の各々は「交換可能」と見なすことができる。逆に、どの特定の各々が選択されるかに関して顧客が好みを有する可能性があるような所与の商品の個々の各々が互いに異なる場合に、これら商品は「交換不能」であると見なされる。販売業者との関連で、セルフサービスモデルは、交換可能製品に関する顧客体験にほとんど価値を付加しないが、本発明に関して説明する自動化サービスを実施する店舗は、顧客が顧客自身の交換可能商品の各々を抜き取る必要性を排除することによって重要な価値を付加する。しかし、多くの顧客に対して、ほとんどの場合に、セルフサービスは、実際には特定の各々の選択に関する完全な制御を交換不能製品に与えることによって交換不能製品に関する顧客体験に価値を付加し、従って、好ましい注文履行方法であると考えられる。他の顧客に関して又は他の場合に、自動化サービスの利点は、自己選択よりも多い価値を付加し、従って、好ましい履行方法であると考えられる。
【００３７】
本発明の自動化サービスモデルにおける顧客体験は、（ａ）交換可能商品に対する全ての注文の履行を自動化し、交換可能商品市場を完全に仮想化すること、（ｂ）顧客がその手で選択することを望む交換不能商品の特定の各々を選択することを可能にするセルフサービス交換不能商品市場を提供すること、及び（ｃ）任意的に、顧客が交換不能商品をオンラインで注文し、手動抜き取り「、自動化抜き取り「、又はその組合せによってこれらの注文を履行することを可能にすることによって最大になる。本発明の自動化サービスモデルは、このモデルの要求の厳しい要件を満たすことができる自動化注文履行（「各々−抜き取り「」）技術が存在する場合にのみ実施可能である。従って、従来のシステムは、本明細書に説明するように自動化ロボットを利用して注文を履行することができるエンドツーエンド小売システムを実質的に作動させることができなかった。
【００３８】
当業者は理解するように、自動化サービスモデルは、あらゆるタイプの販売業者を用いて実施することができる。例えば、自動化サービスモデルは、食料雑貨品店、ホームセンター、手芸用品店、消費者製品店、又はその組合せ（例えば、スーパーストア）を用いて実施することができる。販売業者のタイプの各々において、商品は、本発明により説明するように、交換可能商品及び交換不能商品として分類することができる。特に、交換可能商品は、顧客がこれらの商品を自身で抜き取るか否かに通常は顧客が関心がない場合の自動化履行に適する商品であり、交換不能商品は、顧客が自身で検査して手で抜き取ることを好む商品である。例えば、ホームセンターでは、買物客によって選択される交換不能商品は、木材、厳選された建築材料（例えば、乾式壁、合板など）、特殊な金属製品、植物のような品目を含むことができる。ホームセンターの例を続けると、交換可能商品均等物は、予め梱包された金属製品、付属備品、パイプ取付具、電球などを含むことができる。当業者は理解するように、一部の商品は、個人の検査のための展示品又は見本品を有する場合があるが、依然として交換可能品目として履行することができる。例えば、店舗は、購入前に顧客が触れて検査することを望む可能性があるフローリング、カーペット、タイルなどのための見本品又は展示品を有する場合がある。
【００３９】
本発明の自動化サービスモデルを実施するのに理想的な別の販売業者の例は、食料雑貨品店である。本発明の開示は食料雑貨品店に着目しているが、当業者は、本発明が本発明の開示の範囲から逸脱することなく他の多数の量販店実店舗型形態（例えば、ホームセンター、消費者製品店、科学技術店など）を用いて実施することができることを理解するであろう。そのような他の態様は、本発明と併せて使用されることを意図している。
【００４０】
全体を通して類似の要素が類似の参照符号に示されている図１から図１０は、本発明による自動化サービス小売システム及び方法の例示的実施形態を示している。本発明は、図面に示されている例示的実施形態を参照して説明されるが、多くの代替形態が本発明を具現化することができることを理解しなければならない。更に、当業者は、本発明の主旨及び範囲に従った方法で開示の実施形態のパラメータを変更するための様々な方法を理解するであろう。
【００４１】
図１は、自動化サービスモデル１００の例示的実施形態を示している。特に、図１は、本発明の自動化サービスモデル１００を構成する主要構成要素を示している。自動化サービスモデル１００の主要構成要素は、限定するものではないが、注文処理１０２、交換不能商品履行１０４、自動化注文履行１０６、及び配達履行１０８を含む。本発明の例示的実施形態により、注文処理１０２は、顧客から注文を受け入れ（対面又はオンラインで）、適切なシステム（例えば、交換不能商品、自動化交換可能商品など）又はシステムの組合せを提供してこの注文を履行することを含む。同じく交換不能商品に対する注文は、オンラインで発注することができるが、その大部分は、顧客が同一ではない個々の品目単位を自身で選択することができるように、顧客自身によって店舗で抜き取られる。
【００４２】
本発明の例示的実施形態により、交換不能商品履行１０４は、店舗３００内の顧客によって特定の品目が選択された状態での交換不能商品を購入のための処理、システム、及び方法を含む。交換不能商品は、本質的に同一ではない商品が目視検査され、物理的に検査されて選択されるように顧客に利用可能になる。交換不能商品履行１０４の処理、システム、及び方法は、交換不能商品（例えば、農産物、食肉など）の保管容器（例えば、売り場の陳列ケース６０６）及び顧客履行ツール（例えば、発注、支払、又はレジキオスク６１８など）を含む買物セクション３０２内で実行され、顧客が自身の商品を抜き取ることが可能になる。当業者は理解するように、「交換不能」商品は、従来の交換不能商品モデル、及び／又は自動化サービスモデル１００内で最適に作動するように構成された修正交換不能商品モデルと類似の方法で顧客によって抜き取ることができる非同一商品である。
【００４３】
自動化注文履行１０６は、店舗３００において顧客に交換可能商品の自動化注文履行を提供するための処理、システム、及び方法を含む。自動化注文履行１０６の処理、システム、及び方法は、交換可能商品を抜き取るための自動化在庫管理システムを使用して自動化抜き取り「に適する在庫品（例えば、交換可能商品の保管トート）を収容する自動化履行セクション３０４内で実行される。本発明の例示的実施形態により、自動化在庫管理システムは、自動化履行セクション３０４に保管された在庫からの自動化注文履行１０６を提供するように構成された自動化移動ロボット２２６（例えば、Ａｌｐｈａｂｏｔ（登録商標）ロボット）を含むシステムである。自動化履行セクション３０４は、自動化履行を提供するためのリソースの全てを含む。更に、自動化履行セクション３０４は、在庫品を保管するための保管ラック６１２と、この保管ラック６１２に保管された在庫品を取り出すロボット２２６のためのガイドレールを提供することと、抜き取り「ワークステーション６１４のピッカーへの搬送と、ピッカーがトートから適切な商品を取り出すことと、このトートを在庫に戻すこととを含む。例えば、自動化履行セクション３０４は、商品のトートを保持する保管ラック６１２と、自動化注文履行１０６を提供するように構成されたロボット２２６とを含む。そのような構成の例は、米国特許第９，１３９，３６３号明細書、米国特許出願公開第２０１４／０２８８６９６号明細書、米国特許出願第１５／１７１，８０２号明細書に詳細に開示されており、それらの開示内容全体は、引用によって本明細書に組み込まれている。
【００４４】
本発明の例示的実施形態により、配達履行１０８は、注文されて抜き取られた全ての商品を顧客に提供するための処理、システム、及び方法を含む。配達履行１０８の処理、システム、及び方法による商品の配達は、交換可能商品の自動化履行注文、顧客が抜き取った交換不能商品の注文、並びに対面注文及びオンライン注文のあらゆる組合せの配達を含むことができる。更に、配達履行１０８は、限定するものではないが、店内配達、顧客車両配達、及び宅配を含むあらゆるレベルの配達を含むことができる。
【００４５】
図２は、本発明の態様を実施するための例示的システム２００を示している。特に、図２は、自動化サービスシステム２０２を含むシステム２００を示している。例示的実施形態により、自動化サービスシステム２０２は、本発明の態様を実行するように構成されたハードウエアとソフトウエアの組合せである。特に、自動化サービスシステム２０２は、自動化サービスモデル１００を実施する方法を提供するように設計された専用ソフトウエア及びデータベースを有するコンピュータシステムを含むことができる。例えば、自動化サービスシステム２０２は、コンピュータデバイス２０４にインストールされたソフトウエア、コンピュータデバイス２０４によって提供されてコンピュータデバイス（例えば、ロボット２２６、ユーザデバイス２２４など）によってアクセス可能なウェブベースのアプリケーション、コンピュータデバイスによってアクセス可能なクラウドベースのアプリケーション、又は類似のものとすることができる。自動化サービスシステム２０２を構成するハードウエアとソフトウエアの組合せは、本発明の態様を実行するための段階／作動の非従来の組合せを利用して特定の問題に対する技術的ソリューションを提供するように特別に構成される。特に、自動化サービスシステム２０２は、小売業者からの顧客注文履行のための新規性のある手法を提供する段階の独自の組合せを実行するように設計される。
【００４６】
本発明の例示的実施形態により、自動化サービスシステム２０２は、プロセッサ２０６、メモリ２０８、入出力インタフェース２１０、入出力デバイス２１２、及びストレージシステム２１４を有するコンピュータデバイス２０４を含むことができる。更に、コンピュータデバイス２０４は、このコンピュータデバイス上にインストールされたアプリケーションのための作動を実行するように構成されたオペレーティングシステムを含むことができる。当業者は理解するように、コンピュータデバイス２０４は、当業者には理解される単一コンピュータデバイス、ネットワークコンピュータシステム内のコンピュータデバイスのアセンブリ、クラウドコンピュータインフラストラクチャ、又はその組合せを含むことができる。同様に、当業者は理解するように、ストレージシステム２１４は、データの集合を格納してそれを編成するように構成されたコンピュータデバイスのあらゆる組合せを含むことができる。例えば、ストレージシステム２１４は、コンピュータデバイス２０４上のローカルストレージデバイス、リモートデータベース機器、又はクラウドコンピュータストレージ環境とすることができる。同じくストレージシステム２１４は、ユーザと対話してデータベースのデータを解析するように構成された所与のデータベースモデルを利用するデータベース管理システムを含むことができる。
【００４７】
図２を続けると、自動化サービスシステム２０２は、本発明の様々な機能を実行するためのコア構成要素の組合せを含むことができる。本発明の例示的実施形態により、自動化サービスシステム２０２は、注文処理ツール２１６、交換不能商品履行ツール２１８、自動化注文履行ツール２２０、及び配達履行ツール２２２を含む。当業者は理解するように、ツール２１６、２１８、２２０、及び２２２は、本発明の様々な態様を実行するように構成されたハードウエアとソフトウエアのあらゆる組合せを含むことができる。特に、注文処理ツール２１６、交換不能商品履行ツール２１８、自動化注文履行ツール２２０、及び配達履行ツール２２２の各々は、店舗３００内で自動化サービスモデル１００の作動を可能にするように構成される。
【００４８】
本発明の例示的実施形態により、システム２００は、電気通信ネットワーク２２８を通して自動化サービスシステム２０２と通信するように構成された複数のユーザデバイス２２４及びロボット２２６を含む。自動化サービスシステム２０２は、セキュアネットワーク接続を共有するツール２１６、２１８、２２０、及び２２２の機能を提供するユーザデバイス２２４及びロボット２２６に対する集中型ホストとして作用することができる。当業者は理解するように、複数のユーザデバイス２２４は、自動化サービスシステム２０２のコンピュータデバイス２０４に関して上述したようにコンピュータデバイスのあらゆる組合せを含むことができる。例えば、コンピュータデバイス２０４及び複数のユーザデバイス２２４は、サーバ、パーソナルコンピュータ、ラップトップ、タブレット、スマートフォンのようなあらゆる組合せを含むことができる。本発明の例示的実施形態により、コンピュータデバイス２０４、ユーザデバイス２２４、及びロボット２２６は、電気通信ネットワーク２２８を通じた接続を確立し、それを通して通信して本発明の態様を実行するように構成される。当業者は理解するように、電気通信ネットワーク２２８は、既知のネットワークのあらゆる組合せを含むことができる。例えば、電気通信ネットワーク２２８は、モバイルネットワーク、ＷＡＮ、ＬＡＮ、又は他のタイプのネットワークの組合せとすることができる。電気通信ネットワーク２２８は、コンピュータデバイス２０４とユーザデバイス２２４とロボット２２６との間でデータを交換すること、ストレージシステム２１４とデータを交換すること、及び／又は追加の情報源からデータを収集することに使用することができる。
【００４９】
本発明の例示的実施形態により、注文処理ツール２１６は、注文処理１０２のための全ての処理を処理するように構成される。特に、注文処理ツール２１６は、本明細書でより詳細に説明するように、顧客注文情報を（例えば、対面又は遠隔で）受け入れ、それに応じて注文を割り当てる（例えば、自動化注文履行を発注する）ように構成される。本発明の例示的実施形態により、交換不能商品履行ツール２１８は、交換不能商品履行１０４に関連する全ての処理を処理するように構成される。特に、交換不能商品履行ツール２１８は、本明細書でより詳細に説明するように、顧客の注文、支払、及び他のサービスを管理することを含む店舗３００のフロントエンドにおける作動の全てを処理する。本発明の例示的実施形態により、自動化注文履行ツール２２０は、自動化注文履行１０６に関連する全ての処理を処理するように構成される。特に、自動化注文履行ツール２２０は、本明細書でより詳細に説明するように、自動化注文抜き取り「、在庫管理などを含む店舗３００のバックエンドでの作動を処理するように構成される。本発明の例示的実施形態により、配達履行ツール２２２は、配達履行１０８に関連する全ての処理を処理するように構成される。特に、配達履行ツール２２２は、本明細書でより詳細に説明するように、履行した顧客注文品を特定の届け先の顧客に配達することに関連する処理を処理するように構成される。
【００５０】
例示的実施形態により、自動化サービスモデル１００は、本発明によって使用されるように構成された実店舗型販売業者３００内に実施される。店舗３００は、販売に利用することができる商品を顧客に提供するあらゆる販売業者とすることができる。本発明の例示的実施形態により、店舗３００は、食料雑貨類、及び従来より食料雑貨品店で見つけられる他の商品を顧客に提供する食料雑貨品店である。本発明の店舗３００は、顧客がどのようにして店舗３００から商品を得るかという点において従来の店舗と異なるものである。特に、店舗３００は、顧客が従来の食料雑貨品店で行われるように商品を手で抜き取るか又はそれ以外の方法で自動化履行（例えば、対話型ディスプレイにより、又はタグ、画像又はコードを走査することなどにより）される商品を選択することを可能にする買物セクション３０２と、顧客が注文内で指定する（オンライン又は対面注文のいずれか）品目の大部分又は全部を抜き取ることができる自動化各々抜き取り「システムを有する自動化履行セクション３０４とを含む。
【００５１】
店舗３００と自動化サービスモデル１００との新規性のある組合せは、従来のセルフサービス店舗のような顧客が全商品注文を抜き取る必要性を軽減する。これに代えて、自動化サービスモデル１００を利用すると、顧客は、店内又は遠隔のいずれかであらゆる形態のデジタルデバイスを通して顧客が電子的購入を望む商品の一部又は全部を注文し、自動化注文履行ツール１０６にこの商品を抜き取らせてこの注文品を店舗３００の場所で顧客に配達させることができる。同時に、顧客は、図５に示すように、配達履行セクション３０８内のレジ場所で自動化配達商品と組み合わされるあらゆる交換不能商品を店舗３００の買物セクション３０２から抜き取ることができる。注文処理１０２と交換不能商品履行１０４と自動化注文履行１０６との独自の組合せの態様は、自動化サービスモデル１００が店舗３００内で拡張可能で入手可能で効率的で小型化／空間効率的で確実で迅速な注文完了システムを提供することを可能にする。この組合せの結果、全く新しいタイプの販売業者及び小売システムがもたらされ、本発明のシステムは、顧客体験及び小売業績の両方での飛躍的改善を小売業者にもたらす。
【００５２】
図３Ａ、図３Ｂ、及び図３Ｃは、自動化サービスモデル１００に従って稼働するように構成された店舗３００の例示的描写を示している。特に、図３Ａ、３Ｂ、及び３Ｃは、自動化サービスモデル１００の作動のために特別に設計された店舗３００のためのアーキテクチャ設計例を示している。図３Ａ及び図３Ｂは、地表面上の買物セクション３０２と、店舗３００の上階の自動化履行セクション３０４とを有する店舗３００の例示的実施形態を示している。当業者は理解するように、店舗３００は、自動化サービスモデル１００を有して稼働するように特別に設計されて新しく構築された店舗３００、又は自動化サービスモデル１００内で稼働するように改装された既存のセルフサービスモデル店舗３００とすることができる。本発明の例示的実施形態により、店舗３００の買物セクション３０２は、顧客のための入口３０６、並びに交換不能商品の買物に必要なリソース（例えば、バスケット、カート、買物端末など）を含む。例えば、買物セクション３０２は、従来のセルフサービス食料雑貨品店のリソース及びレイアウトの類似の塊を含むことができる。当業者は理解するように、買物セクション３０２はまた、買物カート及びトートのセットと、充電クレードルで静止している携帯型買物端末群と、レジキオスク群６１８と、独立型レシートプリンタとを含むことができる。
【００５３】
図３Ｂは、図３Ａに関して上述したように、地表面上の買物セクション３０２と、店舗３００の上階の自動化履行セクション３０４とを有する店舗３００の例示的実施形態を示している。特に、図３Ｂは、店舗の上階の自動化履行セクション３０４を示すように切り取られた断面を有する図３Ａの店舗３００を示している。自動化履行セクション３０４は、このセクションに保管された複数の商品トートを保持するように構成された保管ラック６１２を含む。保管ラック６１２は、本明細書でより詳細に説明するように、この保管ラック６１２から商品のトートを取り出してこの商品を配達して注文を履行するように構成された移動式自動化ロボットによってアクセス可能である。
【００５４】
図３Ｃは、地表面上の自動化履行セクション３０４と、店舗３００の上階の買物セクション３０２とを有する店舗３００の例示的実施形態を示している。図３Ｃに示されている店舗３００は、買物セクション３０２及び自動化履行セクション３０４内に類似のリソースを含むが、これらのセクションは異なる向きにある。特に、自動化履行セクション３０４は、この自動化履行セクション３０４の上に位置する上階の買物セクション３０２までの１又は２以上のエレベータ入口３０６を有する地表面上で始まる。買物セクション３０２を上階に有することの追加の利点として、店舗３００は、全体を通して追加の窓を含んで入射光及び高められた視界を顧客に提供することができる。
【００５５】
図４Ａは、店舗３００の典型的な概念的内部レイアウトと、店舗３００の区域の各々が互いにどのように関連しているかとを示している。特に、図４Ａは、買物セクション３０２、自動化履行セクション３０４、配達履行セクション３０８、及び受け入れセクション３１０を示している。図４Ａに示されている異なる区域は、単一平面内で表されているが、図３Ａから図３Ｃに示すように、この区域は、店舗３００の複数のフロアに分割することができる。店舗３００の運用中に、全ての取引は、これらの区域のうちの１又は２以上を通して行われる。本発明の例示的実施形態により、顧客は、入口３０６を利用して店舗３００の買物セクションに入って（４０２）そこを出る（４０４）。店舗３００の買物セクション３０２内に入ると、顧客は、本明細書でより詳細に説明するように、自動化注文履行１０６によって履行される商品を発注することができ、更に、店舗の交換不能商品履行１０４セクション内で交換不能商品を購入することができる。
【００５６】
自動化注文履行１０６によって履行される顧客注文は、本明細書でより詳細に説明するように、自動化履行セクション３０４内の自動化システムによって処理されることになる。自動化注文履行１０６が完了すると、本明細書でより詳細に説明するように、自動化抜き取られた商品が、配達履行セクション３０８に提供される（４０６）。同様に、顧客が買物セクション３０２内で交換不能商品の抜き取りを完了すると、この顧客は、本明細書でより詳細に説明するように、この商品を配達履行セクション３０８に提供することになる（４０８）。例えば、顧客は、図５に示すように、この顧客の商品を有するトート又はバスケットを窓を通して配達履行セクション３０８に配置することができる。配達履行セクション３０８において、自動化履行セクション３０４から提供された（４０６）商品及び買物セクション３０２から提供された（４０８）商品は、本明細書でより詳細に説明するように、単一注文４１０に組み合わされて顧客へ配達される（４１０）。
【００５７】
図４Ａを続けると、店舗３００は、様々な供給業者及び／又は製造業者から商品を受け入れるための受け入れセクション３１０を含むことができる。受け入れセクション３１０は、顧客には見えない店舗の「バックエンド」内に含めることができる。商品が、受け入れセクション３１０に配達された場合に、この商品は、買物セクション３０２内に保管された交換不能商品として、又は自動化履行セクション３０４内に保管された交換可能商品として識別される。交換不能商品は、交換不能商品履行１０４をもたらす方法で買物セクションに移送（４１４）されて保管される。同様に、交換可能商品は、自動化注文履行１０６に適する方法で移送（４１６）されて保管される（例えば、トートに保管される、保管ラック６１２内に入れられる）。
【００５８】
図４Ｂは、図４Ａに関して説明した店舗３００の内部構造のより詳細な図である。特に、図４Ｂは、買物セクション３０２及び配達履行セクション３０８の詳細図、自動化履行セクション３０４の平面図、並びにこれらのセクションが互いにどのように関連するかを示している。図４Ｂに示されている買物セクション３０２は、出入口点３０６と、模擬市場６００と、自動化履行セクション３０４への通過点４０８とを含む。模擬市場６００は、注文画面６０２の壁と、複数の物理的棚ユニット６０４及び売り場の陳列ケース６０６と、複数の買物端末及びレジキオスク６１８とを含む。当業者は理解するように、模擬市場６００は、本明細書でより詳細に説明するように、図４Ｂから図６Ｃに示されている要素のあらゆる組合せを含むことができる。更に、図４Ｂは、店舗３００の配達履行セクション３０８を示している。配達履行セクション３０８は、完了注文商品が配達されて顧客によって受け入れられる複数の配送ステーション６１０を含む。
【００５９】
図４Ｃは、自動化履行セクション３０４及び配達履行セクション３０８のより詳細な図、買物セクション３０２の基本的な図、並びにこれらのセクションが互いにどのように関連するかを示している。自動化履行セクション３０４は、保管ラック６１２システムを含み、このシステムは、ロボット２２６によってアクセス可能な在庫品トートを保持するように構成され、更に、ロボット２２６が在庫品トートを引き出してこのトートを抜き取りワークステーション６１４のピッカーに届けて自動化注文履行（１０６）を行うことを可能にするように構成される。本発明の例示的実施形態により、配達履行セクション３０８は、統合セクションを含み、この統合セクションでは、自動化履行セクション３０４からの商品及び買物セクション３０２からの商品が組み合わされて注文品トート７０２に統合され、配送ステーションにおいて顧客へ配達される。当業者は理解するように、この統合は、自動化履行セクション３０４と同じ物理的空間内で又は個別の物理的空間内で行うことができる。
【００６０】
本発明の例示的実施形態により、自動化サービスモデル１００の店舗３００は、入口ロビーを含む「フロントエンド」と、交換不能商品のための買物セクション３０２と、関連の作業区域とを含む。当業者は理解するように、フロントエンドは、必ずしも店舗３００の前部又は店舗３００の地表面上に位置する必要はない。買物セクション３０２内の床面積の大部分は、顧客の観点から店舗３００の焦点とすることができる交換不能商品市場（例えば、農産物、生鮮品、及び他の交換不能商品）及び関連の作業空間に充てられる。買物セクション３０２は、農産物、食肉、シーフード、多くのチーズ（主として、ランダムな重量）、調製食品、花、パン、及び調理された食品のような「交換不能」商品を含む。典型的には、交換不能商品は、限定するものではないが、「ランダムドル」（価格バーコードを有する交換可能商品）、ランダム重量（ばら売り品目、特に、品目の重量に基づいて価格設定された農産物）、及びランダムカウント（各々の数に基づいて価格設定されたばら売り品目）を含む３つもの数の異なる価格設定方法を用いて陳列備品又は陳列ケース６０６から販売される。同じく、これらの交換不能商品は、顧客個人の嗜好及び好みに従って注文製品をカスタマイズするより多くの機会を顧客に提供するサービスカウンタにおいて販売することができる。
【００６１】
本発明の例示的実施形態により、店舗３００の買物セクション３０２は、自動化サービスモデル１００に関連した技術的改善を伴う従来のセルフサービス食料雑貨品店内の周辺売り場と外観の点で類似しており、顧客の利点が高まり、小売業者の営業コストが低減される。買物セクション３０２の技術的改善点は、主として、顧客がどのようにして商品を購入するか、及びこれらの商品のための資金をどのようにして交換するかに関連する。そのような１つの技術的改善点は、自動化サービスモデル１００と組み合わせて利用される買物端末を実施することである。この買物端末は、注文のための資金の交換を含む買物旅行中に、注文が発注される商品を選択、走査、入力、及び／又は保管するための主要インタフェースとして顧客によって利用されるデバイスである。特に、買物端末は、交換可能商品（自動化注文履行１０６によって抜き取られる）及び交換不能商品履行１０４内の交換不能商品の両方を発注するのに利用することができる。
【００６２】
当業者は理解するように、買物端末は、買物リストに追加される特定の商品を識別する（例えば、走査、写真などを通して）ように構成されたあらゆるデバイスとすることができる。例えば、買物端末は、携帯型走査デバイス、又は買物セクション３０２内に位置する１又は２以上の固定タッチ画面とすることができる。更に、顧客のユーザデバイス２２４（例えば、スマートフォン）は、店舗３００に関連するモバイル機器上のモバイルアプリケーションを実行することにより、買物端末として構成することができる。本発明の開示の目的に対して、「買物端末」という用語は、ユーザデバイス２２４又は独立型専用買物端末デバイス（例えば、携帯型スキャナ、固定画面、又はその組合せ）上で作動するアプリケーションを含むように定められる。作動中に、買物端末は、顧客と対話し、集中型自動化サービスシステム２０２と通信し、買物処理に関与する広範な機能セットをサポートする。各買物端末は、メッセージに含まれる固有の内部識別子を有しており、買物端末を得る処理は、顧客の識別情報が、例えば、無線周波数識別（ＲＦＩＤ）キーフォブ又は顧客のスマートフォン内の近距離無線通信（ＮＦＣ）チップを通して、又は例えばレジキオスク６１８又はサービスデスクでの情報入力によって取り込まれる段階を含む。顧客に関連する買物端末は、自動化注文履行１０６によって及び交換不能商品履行１０４内で顧客によって抜き取られる顧客の買物注文に望ましい品目を抜き取るのに使用される。
【００６３】
本発明の例示的実施形態により、買物セクション３０２は、自動化注文履行１０６によって抜き取られる交換可能商品を注文するための仮想交換可能商品市場を表す画面６０２を含む。特に、仮想交換可能商品市場は、注文処理１０２と交換不能商品履行１０４とを組み合わせて、顧客が自動化注文履行１０６によって抜き取られる商品の注文を選択することを可能にする。本発明の例示的実施形態により、買物セクション３０２は、物理的棚ユニット（典型的に、従来の市場で見つけられる）上のＳＫＵでのデモ製品又は見本品（例えば、空の箱、写真など）、又は商品の閲覧に利用することができるそのような商品の画像（電子ディスプレイ、又は実際の画像又はイラスト）を有する模擬市場６００を含む。模擬市場６００の例示的態様は、図６Ａから図６Ｃに示されている。特に、図６Ａは、仮想交換可能商品市場を表示する画面６０２を有する模擬市場６００を示しており、図６Ｂは、物理的棚ユニット６０４内にデモ製品又は見本品を有する模擬市場６００と、在庫にある各交換可能商品のためのデモ製品例を有する通路（従来のセルフサービス店舗と同様に配置された）とを示しており、図６Ｃは、顧客が手動で抜き取る交換不能農産物を収容する売り場の陳列ケース６０６を示している。当業者は理解するように、デモ製品を有する通路は、従来の店舗と同様とすることができるが、在庫内の品目毎に１つのみのデモ製品（又は走査する又は選択することができる画像又はコード）が存在するので、規模は非常に小さく、この通路は、店舗内に買物カートがない場合に非常により狭くすることができる。
【００６４】
本発明の例示的実施形態により、模擬市場６００は、仮想市場を通して利用可能な商品を抜き取ることに限定される。仮想市場は、壁又はパネル式フロアスタンドに取り付けられた複数の画面（例えば、買物端末）６０２を含み、この画面は、在庫内に利用可能な選択可能交換可能商品及び交換不能商品の組合せを表示する。顧客は、画面６０２を利用して閲覧してその顧客がどの商品を自身の買物注文に追加することを望むかを選択する。図６Ａは、模擬市場６００内に使用される仮想市場画面６０２の表示例を示している。同様に、顧客は、ユーザデバイス２２４上のアプリケーション又はウェブページを利用して注文商品を閲覧して選択することができる（対面又は遠隔で）。当業者は理解するように、仮想市場画面６０２は、ユーザ入力を受信するように構成されたコンピュータ表示デバイスのあらゆる組合せを含むことができる。例えば、画面６０２は、商品を表示してタッチインタフェースを閲覧する顧客からの入力を受信するように構成されたタッチ画面とすることができる。
【００６５】
本発明の例示的実施形態により、模擬市場６００は、仮想買物画面６０２と物理的模擬市場６００と交換不能商品市場との組合せを通して自動化注文履行（１０６）される商品の注文を含むことができる。例えば、顧客は、買物端末を使用して模擬商品に関連する無線周波数識別子（ＲＦＩＤ）タグを読み取ることにより、図６Ｂに示すように、模擬交換可能商品を収容する棚６０４の通路から交換可能商品を注文することができる。同様に、顧客は、本明細書に説明するように、画面６０２上のＲＦＩＤタグを読み取って注文セッションを開始することにより、交換不能商品６０６を収容する陳列ケース又は売り場の近くに位置するより小さいタッチ画面６０２から顧客の注文品を注文及び／又は補足することができる。いずれのシナリオでも、ＲＦＩＤタグは、模擬展示品内、並びに陳列ケース又は売り場６０６の棚上の価格ラベル上に埋め込まれ、商品は、携帯型買物端末を使用してＲＦＩＤタグを読み取ることによって走査されて注文に追加することができるようになる。この実施形態は、製品品目の処理及び検査を可能にすることにより、セルフサービス店舗の交換可能商品市場におけるユーザインタフェースに類似しているという利点を有する。例示的態様では、ユーザは、模擬市場６００において、通路を通って歩いて買物リストに追加されるデモ製品を走査することにより、商品を閲覧することができる。
【００６６】
更に、より小さい画面６０２は、商品の相互販売促進に利用することができる。例えば、野菜を収容する陳列ケース又は売り場６０６に取り付けられた画面６０２は、顧客が関連画面６０２を通して直接に関連交換可能商品を注文する（例えば、ＲＦＩＤタグを走査して）ことを可能にするように構成されたコンテンツ販売促進サラダドレッシングを表示することができる。この例示的実施形態では、交換可能商品は完全に仮想化され、交換不能商品市場はそうではなく、顧客は、在宅で又はモバイル機器上で遠隔で買物をするのとほとんど同じ方法で店舗内の画面を通して交換可能商品を注文する。例えば、店舗３００は、壁に沿って取り付けられた主大画面セット６０２を含むことができ、追加の画面６０２（典型的に、より小さい）が交換不能商品市場全体を通して位置決めされ、床面積要件が最小になる。従って、店舗３００内の顧客の位置に関係なく、顧客は、携帯型買物端末を使用して、利用可能な画面６０２上の識別タグ（例えば、ＲＦＩＤタグ又はバーコード）を読み取ることにより、画面６０２上で交換可能商品を注文する処理を開始することができ、それにより、次に、画面６０２上の注文セッションが開始されることになる。
【００６７】
本発明の例示的実施形態により、画面６０２によって提供される商品の注文は、注文処理ツール２１６によって処理されて自動化注文履行ツール２２０に提供されて自動化注文履行１０６によって実行される。自動化注文履行１０６は、本明細書でより詳細に説明するように、注文を処理し、後の期間に完了注文商品を顧客に配達する（例えば、配達履行セクション３０８において）。同じく、当業者は理解するように、交換不能商品履行１０４は、類似の方法で選択されて自動履行され、ここで、顧客は、画面６０２上に表示された一意的に識別可能な商品のプールから交換不能商品を選択することができる。その後、交換不能商品の選択は、抜き取りを行うための自動化手段又は第三者プロキシのいずれかを使用して顧客の代わりに抜き取ることができる（例えば、抜き取りワークステーション６１４において）。更に、注文処理１０２は、注文のステータス、注文内の商品のリスト、注文の総額、及び注文に関連付けられた他の情報に関するフィードバックを顧客に提供することができる。例えば、注文処理ツール２１６は、注文完了前の適度に正確な待ち時間推定値を提供し、次に、注文のステータスを顧客に通知する（例えば、個人用買物端末を通して）。注文が完了した時に、注文品の引取及び／又は配達の準備が整ったことを顧客に通知することができる（例えば、携帯型買物端末上のアプリケーション、店内状況画面、電子メール又はショートメッセージサービス（ＳＭＳ）などを通して）。
【００６８】
本発明の例示的実施形態により、店舗３００の買物セクション３０２は、顧客が自身で交換不能商品を物理的に検査し、それを処理し、それを抜き取ることを好む商品（例えば、農産物）のための交換不能商品市場（例えば、自動化されていない）を含む。本発明の開示の目的に対して、これらのタイプの商品は、交換不能商品及び／又は交換可能商品と呼ばれる。例えば、顧客は、従来のセルフサービス食料雑貨品店の場合のように、果物及び野菜のための交換不能農産物セクションを閲覧することができる。更に、顧客は、買物セクション３０２内に含まれる様々なステーションから交換不能商品を注文することができる。このステーションは、限定するものではないが、調製食品サービスカウンタ、シーフードサービスカウンタ、パン、調理された食品、及びレストランステーション、食事キットなどを含むことができる。交換不能商品は、複数のモード、すなわち、プロキシ手動ピッカー（例えば、店員が、顧客の代わりに、典型的にはオンライン注文経由で交換不能商品を抜き取る）、交換不能商品の顧客選択（対面又はオンライン）、ステーションにいる顧客（例えば、調製食品、パン、シーフードなど）、又は店内の顧客による交換不能商品選択で処理することができる。顧客は、図６Ｃに示されているスケール６０８（商品を計量するための）と、ＲＦＩＤラベルと、バーコードと、手動のユーザ製品識別情報との組合せを利用することにより、買物セクション３０２における交換不能商品選択を通して交換不能商品を集計してそれを注文に追加することができる。例えば、顧客は、一房のバナナを選択し、そのバナナを計量し、バナナの識別情報及びそれに関連する重量を買物端末に入力することができる。
【００６９】
本発明の例示的実施形態により、交換不能商品履行１０４は、従来の市場におけるレジ処理と比較して、顧客がどのようにして買物セクション３０２内の交換不能品目を集計するかに関する処理、システム、及び方法を用いた別の技術的改善点を提供する。本発明の集計処理は、顧客が、購入することを望む商品を全ての価格設定方法にわたって簡単で効率的な方法で集計することを可能にする。特に、買物セクション３０２は、顧客が、都合よく使用されるように店舗３００にわたる位置に位置決めされた無線スケール６０８と組み合わせて買物端末の組合せを利用し、交換不能商品（例えば、計算票）を注文／抜き取ってこれらの商品の代金を支払うための簡単で効率的な方法を顧客に提供する。例えば、果物を収容する買物セクション３０２のセクションは、顧客が顧客の注文に追加される特定の果物品目の数量及び重量を入力するためのレジキオスク６１８及びスケール６０８を含む。交換不能商品が集計されて計量された状態で、これらの商品は、顧客の手で抜き取られた商品及び自動化抜き取られた商品の全てが単一買物注文内に反映されるように、顧客の注文に追加することができる（例えば、買物端末を通して）。当業者は理解するように、顧客注文は、ユーザが買物セクション３０２で買物をしている間に顧客のバスケット又はカートに追加された品目ごとの計算票で更新することができる。顧客のバスケット／カート内の品目の集計及び重量は、レジ処理中に検証されて処理することができる。
【００７０】
例示的実施形態により、顧客が抜き取った交換不能商品の検証処理は、買物セクション３０２内のレジキオスク６１８で行うことができ、又は顧客は、４０８を通して交換不能商品を配達履行セクション３０８に渡して計量、検証、及び自動化履行セクション３０４からの自動化履行注文との統合を行うことができる。この場合に、組み合わされた注文は、配達履行セクション３０８において顧客へ配達されることになる（４１０）。
【００７１】
例示的実施例では、ランダムドル品目の抜き取りは、集計するのに最も簡単な商品であり、顧客が、買物端末を使用してこの品目上の価格バーコードを走査することのみを必要とする（ランダムドル品目の重量は、価格バーコード内に埋め込まれるか、又は既知の品目単価に基づいてバーコードによる価格から得られる）。ランダム重量品目を集計してそれを購入するには、顧客が自身が購入することを望む品目単位を袋詰めした状態で、その顧客は、単純で直感的な３段階の処理、すなわち、（１）買物端末を使用して、品目を識別する品目の単価記号に位置するＲＦＩＤタグを走査すること、（２）バッグを有利な位置にある無線スケール６０８上に置くこと、及び（３）買物端末を使用して、スケール６０８上に位置してスケール６０８を識別するＲＦＩＤタグを走査することを実行することができる（あらゆる順序で）。次に、システム制御ソフトウエアは、指定されたスケール６０８から品目の重量を読み取り、品目の単価を適用することによって品目の価格を集計する。同様に、ランダム数品目を購入するには、顧客は、ランダム重量品目に関して上述したのと同じ３段階の処理に加えて、購入のための各々の数を入力するか、又は品目の重量をそのＳＫＵの各々当たりの平均重量で割算することによってシステムが計算した各々の推定数を確認する第４の段階に従う。
【００７２】
本発明の例示的実施形態により、交換不能商品は、顧客によって仮想的に選択され、自動化注文履行１０６及び／又は第三者プロキシによって履行することができる。仮想的に交換不能商品を選択するために、顧客は、入手可能な商品の遠隔オンライン表示又は店内買物端末画面６０２を利用することができる。画面６０２上の仮想市場表示は、選択される商品に関する様々な視覚的情報及び測定された情報を顧客に提供することができる。例えば、仮想市場表示は、独特の各交換不能商品のデジタル画像を関連測定情報と共に提供することができる。測定される情報は、限定するものではないが、重量、熟度（例えば、スペクトルグラフを通して決定される）、硬度レベル（例えば、自動化触覚感知を通して決定される）などを含むことができる。視覚的情報及び測定された情報に依存して、顧客は、抜き取られて自動化注文履行１０６によって配達される独特の各交換不能商品を仮想的に「手で抜き取る」ことができる。
【００７３】
本発明の例示的実施形態により、自動化履行セクション３０４は、自動化履行ロボット２２６によって抜き取られる交換可能商品の在庫を含む。特に、自動化履行セクション３０４は、ロボット２２６が、顧客によって発注された注文を履行するように移動して抜き取られる商品を引き出す在庫品の保管ラック６１２を含む。例えば、自動化履行セクション３０４は、米国特許第９，１３９，３６３号明細書、米国特許出願公開第２０１４／０２８８６９６号明細書、及び米国特許出願第１５／１７１，８０２号明細書に開示されたそのような構成の例に説明されているシステムを含む。当業者は理解するように、自動化在庫管理システムのあらゆる組合せは、本発明の範囲から逸脱することなく自動化履行セクション３０４内で利用することができる。更に、自動化履行セクション３０４は、異なる温度要件を有する商品を保管するための様々な温度ゾーンを含むこともできる。例えば、自動化履行セクション３０４は、周囲温度商品、冷蔵商品、及び冷凍商品のための３つの主要温度ゾーンを含むことができる。当業者は理解するように、食肉、乳製品、及び様々なタイプの農産物を最適に保管するための追加のサブゾーンが冷蔵ゾーン内に存在することができる。
【００７４】
本発明の例示的実施形態により、自動化履行セクション３０４は、自動化ロボット２２６によって処理することができないか又はそれに理想的ではない交換可能商品（例えば、不格好品）のための手動抜き取り区域、自動化トート統合ステーション、及び別の容器に移すステーション（この機能が店舗内で実行される場合）を含む。自動化ロボット抜き取り設計例では、抜き取りストックは、「トート」と呼ばれる容器内で保管され、商品の大多数は、このトートに収容することができるが、少数の商品は、少なくとも１つの次元で非常に大きいので（例えば、ほうき、モップ、ペットフード又はキャットリターの大きいバッグなど）、手動で抜き取る必要がある。更に、トートが、寸法的にこれらの商品のうちの一部の少数の各々を保持することができるとしても、いくつかの大容積／高い立方体の商品（例えば、大きい紙製品、大きいミネラルウォーターなど）を手動で抜き取ることは、自動化ロボット２２６を用いた場合よりもコスト効率が高い場合がある。ロボット２２６によって抜き取られる代わりに、全ての不格好なタイプの商品は、手動で抜き取られて一時的に「特別品目」保持区域に保管され、次に、店員によって注文品配送ステーション６１０で顧客へ配達される。更に、自動化履行セクション３０４はまた、顧客への配達までの間の完了した注文のための中間保管場所を含む。
【００７５】
作動において、自動化注文履行１０６は、交換可能商品に対する全ての顧客注文を履行する。履行される注文内の商品は、注文処理１０２によって提供され、不格好品を除く選択された交換可能商品の注文と、任意的に、バーコード付きパッケージに「予め梱包」され自動化注文履行システム１０６に誘導される交換不能商品（例えば、食肉の切り身）の注文とを含むことができる。自動化履行セクション３０４内のロボット２２６は、抜き取りワークステーション６１４において人間又はロボットのオペレータ（「ピッカー」）によって抜き取られるように、提供されるトートの各々を在庫から引き出すことに関与する。注文された各々は、抜き取りワークステーション６１４においてピッカーによって注文品トート（「Ｏ−トート」（オートート））内に含まれる「バッグ」に梱包される。
【００７６】
図７は、複数の買物バッグ７０４をそこに含むＯ−トート７０２の例を示している。典型的なＯ−トート７０２は、従来のセルフサービス店舗に使用される紙袋及びビニール袋と類似の機能を果たす。本発明の例示的実施形態により、Ｏ−トート７０２は、３つまでの従来の紙又はプラスチック買物バッグ７０４の容量を有する。バッグ７０４の設計は、Ｏ−トート７０２への自動化挿入及びこのＯ−トートからの手動取り出しを可能にする。当業者は理解するように、顧客は、本発明の範囲から逸脱することなく、システム内で利用される顧客自身の個人用バッグを提供することができる。例えば、注文選択が完了すると、顧客は、顧客の注文のためにＯ−トート７０２内に入れられることになるバッグをピッカーに提供することができる。
【００７７】
自動化注文が完了した状態で（例えば、注文からの全ての各々が、抜き取りワークステーション６１４において１又は２以上のＯ−トート７０２に抜き取られる）、充填されたＯ−トート７０２は、顧客への配達までの間、一時的に保管されるように保管ラック６１２サブシステム内に入れられるか（例えば、オンラインで発注された場合）、又は配達履行セクション３０８において即座にシステムから送出されて店舗３００内の顧客に配達される（例えば、店内で発注された場合）。Ｏ−トート７０２は、注文のタイプに関係なく保管場所に置かれ、顧客が注文品を引き取るのに利用可能になるまで保持される。自動化注文履行１０６は、適切な温度の保管環境にＯ−トート７０２を保管することができる。例えば、冷凍品又は冷蔵品は、冷凍庫又は冷蔵庫環境に保管されるように指定され、その一方、交換可能商品は、店舗３００の周囲温度で保管することができる。更に、保管される注文品は、交換可能品目、又は一部の場合には、準備されて全て一緒に引き取ることができる特別注文品（例えば、調理されたもの、デコレーションケーキ）さえも含むことができる。特に、顧客が注文品を引き取る準備ができている場合に、Ｏ−トート７０２及び他の製品の全ては、様々な保管環境から指定された配達区域の顧客へ配達される。
【００７８】
これに加えて、注文は、複数のＯ−トート７０２にわたって分散させることができる。例えば、３よりも多い従来のバッグ７０４を必要とする大量注文は、少なくとも２つのＯ−トート７０２にわたって展開されることになり、複数の温度ゾーンからの各々を含む顧客への配達の前に中間保管を必要とする注文は、ゾーン毎に少なくとも１つのＯ−トート７０２を必要とすることになる。当業者は理解するように、店内で発注されて中間保管なしに即時配達される注文に関して、複数の温度ゾーンからの商品の各々は、一般的に、そのような各々が従来のセルフサービス店舗におけるレジ中に一緒に袋詰めされるのと類似の方法で、単一Ｏ−トート７０２に組み合わせることができる。直感に反して、Ｏ−トート７０２が単一注文のみからの各々を収容することは、通常はより資本効率的である。複数注文Ｏ−トート７０２は、オンライン注文の中間保管においてある程度より高い密度を可能にするが、得られる資本支出の節約は、通常はほとんどの注文品を出荷する前に注文統合処理を行うための追加のボットに対する必要性によって相殺されることになる。注文統合はまた、顧客への注文の配達を遅延させることによってサービスレベルを低減することになる。
【００７９】
本発明の自動化サービスモデル１００では、レジ処理は、単純に買物処理の終了及び注文内の商品に対する支払である。顧客は、各支払システムがあらゆる制限を有する状態で、買物端末を使用して又はレジキオスク６１８においてレジを行うことができる。例えば、レジキオスク６１８は、物理的な支払カードを挿入することによって現金で支払う顧客に、又は顧客が紙クーポン券を商品と引き換えることが望ましい場合に利用可能である。買物端末は、顧客に関連する事前登録クレジット／デビットカード又は他の支払形態（例えば、買物端末とのＮＦＣ通信を通してスマートフォンを使用した）を指定する顧客に利用可能である。単純なレジ取引は、主として、買物端末を通して純粋に電子的に完了するが、レジキオスク６１８は、レジ処理の一部として物理的物体（例えば、現金、クレジットカード、クーポン券など）が必要な場合に顧客に利用可能である。当業者は理解するように、各レジキオスク６１８は、現金処理機構と、デビット／クレジットカード読取器と、紙クーポン券取り扱い器と、レシートプリンタと、タッチ画面ディスプレイと同程度に簡単とすることができるユーザインタフェース（従来のセルフレジ端末に類似）とを含む。作動において、各レジキオスク６１８は、顧客が買物端末にＲＦＩＤタグ情報（例えば、注文概要）を読み込んでレジ処理を開始することを可能にするＲＦＩＤタグ読取器を用いて構成される。これに加えて、電子買物端末でレジを利用する顧客に対して、別々のレシートプリンタ群が、電子的に支払われた注文のためのレシートを印刷するのに利用可能である。ＲＦＩＤタグが各プリンタに存在し、顧客は、このＲＦＩＤタグを買物端末に読み込んでレシートの印刷を開始することになる。
【００８０】
本発明の例示的実施形態により、顧客は、自動化注文履行１０６によって提供される商品を受け入れる前に支払う。支払われた状態で、商品は、指定された注文品配送ステーション６１０において（例えば、配達履行セクション３０８において）店舗を出た後に顧客に提供される。同様に、顧客は、買物セクション３０２において顧客によって抜き取られた交換不能注文品の代金を支払ってそれを確認することができる。本明細書に説明するように、顧客は、抜き取られて顧客のカートに挿入されて商品選択情報（例えば、手動で入力された、走査されたものなど）及び重量（例えば、無線スケール６０８によって提供される）を含む各品目を集計し、コストが、この注文内の集計された各品目に自動的に関連付けられる。システム２００は、顧客が抜き取った品目の最終注文を重量によって検証し、交換不能農産物のレジ重量が買物中に顧客によって入力されて集計された重量の合計と一致することを確認することができる。重量が検証された状態で、自動履行されたあらゆる注文を含む顧客の注文の総額が集計されて支払残高に適用することができる。
【００８１】
本発明の例示的実施形態により、顧客は、自身の手で抜き取った交換不能商品注文を含むトートを買物セクション３０２から配達履行セクション３０８に（例えば、４０８を通して）移送しなければならない。配達履行セクション３０８では、顧客から受信した交換不能商品を含むトートは、自動化履行セクション３０４から届けられたＯ−トート７０２と統合されて組み合わされる。特に、ロボット２２６が、顧客への配達前に、統合されたトートを買物セクション３０２及び自動化履行セクション３０４から配達履行セクション３０８における組合せステーションに配達する。配達履行セクション３０８は、自動化履行セクション３０４からの１又は２以上の交換可能商品を買物セクション３０２から抜き取られた１又は２以上の交換不能商品と組み合わせて配達バンドルにする融合モジュールを含む。全ての商品が組み合わされた／統合された状態で、トートは、注文品配送ステーション６１０において配達の準備が整う。配達バンドルは、引取ステーションに搬送され、この引取ステーションは、この配達バンドルを受け入れ、顧客が配達バンドルの配達を利用するように到着するまで割り当てられた場所でこの配達バンドルを保管する。当業者は理解するように、顧客が交換不能商品のみを選択した場合に、顧客の交換不能商品を自動化注文品と統合する必要はなく、顧客は、レジキオスク６１８において交換不能商品を確認した後、この交換不能商品を持って店舗３００から出て行くことができる。従って、交換不能商品のみの注文は、顧客が交換不能商品を配達履行セクション３０８に返送することを必要としない。
【００８２】
本発明の例示的実施形態により、顧客は、店舗３００内に足を踏み入れることを必要とせずに、引き取られるか又は配達されるオンライン注文を発注することができる。オンライン注文処理は、交換可能商品及び交換不能商品を検索すること及び顧客がどの商品を注文することを望むかを指定することを含む本明細書に記載の注文方法のあらゆる組合せを含むことができる。更に、本明細書に説明するように、顧客は、本明細書に説明する方法及びシステムの組合せを利用して、交換不能商品を事実上は手で抜き取ることができる。これに代えて、顧客は、プロキシピッカー（例えば、店員）に顧客の好みに従って交換不能商品を抜き取らせることを選択することができる。この例では、顧客は、顧客が望む交換不能商品の様々な品質（例えば、色、硬度、重量など）を指定する命令をプロキシピッカーに与えることができる。プロキシピッカーは、顧客の命令に従って交換不能商品を抜き取り、これらの商品を自動化注文履行１０６によって提供される自動化履行注文に追加する。
【００８３】
顧客は、注文した商品に加えて、注文の引取又は配達方法を指定する。例えば、顧客は、スケジュール設定された引取又はスケジュール設定された配達を指定することができる。更に、店舗３００は、限定するものではないが、店舗運営配達車両、又は第三者サービスと連係した商品配達（例えば、タクシー又は専用車サービス）を含む配達オプションの組合せを利用することができる。システム２００は、複数の引取及び配達オプション、並びに引取及び配達オプションの履行推定時間を顧客に提示することができる。当業者は理解するように、この推定時間は、商品のタイプ（例えば、交換不能商品又は交換可能商品）、抜き取り処理のタイプ（例えば、自動化履行、プロキシ履行など）、時刻（例えば、ピーク又はオフピーク買物期間）、配達方法のタイプなどに応じて異なることになる。自動化履行注文に関してのみ、履行時間は、自動化履行セクション３０４に利用可能ないくつかのロボット２２６に基づいて僅か１０分で実施することができ、ほぼオンデマンドの待ち時間を提供する。
【００８４】
本発明の例示的実施形態により、注文処理１０２、自動化注文履行１０６、及び配達履行１０８は、顧客のスケジュール及び場所の組合せに基づいて最適化することができる。特に、システム２００は、配達／到着時間に基づいて注文品トート履行待ち行列の顧客配達履行１０８を最適化する。システム２００は、顧客の全地球測位システム（ＧＰＳ）情報を使用して、ロボット２２６が何時注文品を引き出すかを管理すること、並びに注文品の配達を受け入れるためのレーンをスケジュールに入れて注文管理及び交通管理を行うことができる。例えば、システム２００は、店内顧客、次に、引き取るために店舗３００の近くの場所内に位置する顧客、次に、スケジュール設定された宅配などに対する最高優先順位付けを用いて最高から最低まで注文履行を優先順位付けすることができる。同様に、システム２００は、顧客が注文品を引き取るのに何時に店舗に向うのかを決定し（例えば、顧客アプリケーションからの位置情報に基づいて）、指定された顧客引取場所への顧客の注文品トートの発送を開始することができる。更に、システム２００は、どの顧客注文を優先順位付けするかを決定する場合に、過去の顧客挙動を追跡することができる。例えば、顧客が注文履行時間を頻繁に変更する場合に、システム２００は、その顧客に、常に時間通りに顧客の注文品を引き取る顧客よりも低い優先度を与えることになる。これに加えて、システム２００は、オフピーク配達／引取時間を受け入れる顧客にインセンティブを与えることができる。オフピーク引取／配達を受け入れる顧客にインセンティブを与える実施は、最適化に関してピークを滑らかにすることになる。
【００８５】
本発明の例示的実施形態により、優先順位付けタスクは、ロボット２２６負荷分散を通じた店舗の「必要性」に基づいて変化することになる。ロボット２２６が注文品配送履行１０８及び在庫補充を実行する時に、システム２００は、ロボット２２６利用均衡を取るようにスケジュール設定される。例えば、本発明のシステムは、ロボット２２６を負荷分散してオフピーク顧客期間中に在庫補充を行うことができる。同じくシステム２００は、店舗３００が顧客に対して閉店している夜間時間中に翌日引き取られるオンライン注文に対する注文履行をスケジュールに入れることができる。ピーク収量期間中に、ロボット２２６の容量の効率的な利用が最大になり、要求が満たされて満足することができるサービスレベルが顧客に提供されるように、ボットなタスク負荷を分散させることが非常に重要である。従って、例示的実施形態により、ロボット２２６のタスクは、以下の重要度の優先順位付け（最高優先度から最低優先度まで）、すなわち、配送ステーション６１０への注文の配達、抜き取りストックの緊急補充、店内顧客によって発注された注文の抜き取り、オンラインで発注された注文の抜き取り（スケジュール設定された又は予期される引取時間によって更に優先順位付けされる）、抜き取り在庫の定期的補充を受け入れる。
【００８６】
自動化サービスモデル１００における注文履行処理の最後の段階は、配達履行セクション３０８における注文された各々の顧客（又は配達プロキシ）への配送である。本発明の例示的実施形態により、配達履行１０８は、注文品が何時に配達履行セクション３０８内のそれぞれの注文品配送ステーション６１０に届けられるかをスケジュールに入れることに関与する。配達履行１０８は、配達履行セクション３０８において店舗３００の内部（例えば、買物セクション３０２内部）及び／又はその外部の指定された配送ステーション６１０で行われる。ロボット２２６によって抜き取られた各々は、Ｏ−トート７０２内のバッグ７０４に収容され、これらのＯ−トート７０２は、ロボット２２６によって配送ステーション６１０に届けられる。更に、手動で抜き取られた不格好品は、店員によって同じ配送ステーション６１０に配達されるか、又は顧客によって専用引取場所で引き取ることができる。
【００８７】
本発明の例示的実施形態により、注文品配送ステーション６１０は、Ｏ−トート７０２を保持する１セットの棚を有する構造である。図８は、配達履行セクション３０８内の店舗外の例示的注文品配送ステーション６１０を示している。注文品配送ステーション６１０の棚は、一方の側から（例えば、自動化履行セクション３０４から）ロボット２２６によってアクセス可能であり、このロボットは、注文品を収容するＯ−トート７０２を棚の上に置き、これらのトートは、次に、別の側から（例えば、買物セクション３０２から）顧客にアクセス可能であり、顧客は、顧客の注文した各々を収容するバッグをＯ−トートから取り出してそのバッグをカート内に入れるか、又は直接顧客の自動車内に入れる（注文品配送ステーション６１０が、店舗３００の外側にある場合）。複数のＯ−トート７０２にわたって分散される注文の場合に、注文品の大きさ及び／又は注文品の別々の部分を異なる温度ゾーンに保管する必要性に起因して、単一注文品を注文品配送ステーション６１０の棚に積み込むのに通常は複数のボット往復が必要になる。従って、配送ステーション６１０は、指定された顧客引取区域に対して少なくとも３つ、好ましくは４つのＯ−トート７０２を格納する容量を有するべきである。
【００８８】
本発明の例示的実施形態により、店舗３００は、注文品配送ステーション６１０の２つのセットを含む。特に、店舗３００は、店内顧客によって使用される注文品配送ステーション６１０の１つのセットと、その店舗を訪問してその顧客の注文品を引き取るのみで店舗３００内に入らない（例えば、注文品配送ステーション６１０の外部）顧客によって使用される注文品配送ステーション６１０の第２のセットとを含む。店内顧客によって使用される配送ステーション６１０はまた、買物カートのための駐車プラットフォームを含み、このプラットフォームは、任意的に、本明細書でより詳細に説明するように、レジのためにプラットフォーム上に置かれた各カートを計量する機器を含むことができる。同じく、特定の立地属性及び店舗３００の構成に応じて、店内及び引取のみの両方の顧客が外部配送ステーション６１０を使用することが可能である。例えば、外部注文品配送ステーション６１０は、駐車場又は駐車構造内に取り付けられて、ロボット２２６が顧客の駐車した自動車に位置する配送ステーション６１０に対面注文品を配達することが可能になる。
【００８９】
本発明の例示的実施形態により、注文品配送ステーション６１０は、双方向に作動させることができ、すなわち、顧客が、顧客自身で選択した交換不能商品を収容するバッグを配送ステーション６１０の棚上の空のＯ−トート７０２内に入れ、ロボット２２６が、この交換不能商品をロボットシステム内の保管場所（冷蔵の）内に入れることができるようにすることが可能である。この機能は、店内顧客が一時的に注文品を店舗に預け、後の時間にその注文品を引き取るか又は注文品を自宅に配達してもらうことを可能にする。同様に、返品は、返品取引中に、返品される品目をＯ−トート７０２に挿入することによって提供することができる。例えば、返品される品目は、単独で空のトートに入り、このトートが抜き取りワークステーション６１４に返却されながら、同時に、製品容器が在庫から取り出され、この品目が、返品容器から製品容器に抜き取られる。
【００９０】
本発明の例示的実施形態により、ロボット２２６は、注文品を収容する完了Ｏ−トート７０２を配達カート内に入れることができる。配達カートは、顧客の自動車に搬送することができ、又は顧客は、注文品配送ステーション６１０においてカートを引き取ってそのカートを顧客自身の自動車に持ってくることができる。
【００９１】
図９は、本発明の態様を表す例示的流れ図である。特に、図９は、図１から図８に関して上述したように、店舗３００内で実施される自動化サービスモデル１００の作動を描く例示的流れ図である。特に、図９は、店内買物のための自動化サービスモデル１００を実施し、顧客が店舗３００で商品を注文するための処理９００を示している。段階９０２において、顧客は、店舗に到着し、買物端末を利用して自動履行される商品を選択する。本明細書に説明するように、顧客は、携帯型買物端末を利用して品目を走査するか、又は仮想画面買物端末を利用して品目を閲覧して選択することができる。
【００９２】
段階９０４において、顧客は、存在する場合に買物セクション３０２内の交換不能商品を収集してそれを集計する。本明細書に説明するように、顧客は、交換不能農産物を手で抜き取ってこの農産物を集計／計量し、この農産物を買物端末を通して顧客注文に追加することができる。本発明のシステムは、顧客が買物セクション３０２において交換不能商品の抜き取りを完了した時に、自動化履行注文品に配達の準備を整わせることにより、最初に交換可能商品を注文するように顧客に奨励する（自動化履行）。交換不能商品の買物は、カート又はトートを利用するばら売り農産物（ランダム重量）、予め梱包されたもの（ランダムドル）、及びサービスカウンタからの商品を選択することを含むことができる。
【００９３】
段階９０６において、顧客は、レジを行うことができる。特に、本明細書に説明するように、顧客は、携帯型買物端末又はレジキオスク６１８を利用して、交換不能商品と交換可能商品との組合せでレジを行うことができる。レジ中に、あらゆる集計された交換不能商品の重量が集計され、ユーザ入力に対して検証され、顧客は、自動化注文内の商品を確認する。顧客は、現金、クレジット、仮想支払のようなあらゆる組合せを利用して支払うことができる。
【００９４】
段階９０８において、顧客は、注文品の配達を受け入れる。顧客に提供される配達履行は、顧客によって抜き取られて検証される交換不能商品及び自動化注文履行１０６によって抜き取られる交換可能商品の両方を含む。本明細書に説明するように、配達は、店内で又は店外の顧客の自動車で行うことができる。任意的に、顧客は、遅延したレジを選択し、将来の引取又は配達のために完了して支払った注文品を店舗に預けることができる。顧客は、携帯型買物端末又はレジキオスク６１８でレジを行う。
【００９５】
本明細書に説明するコンピュータデバイス２０２、２０４、２２２、及び２２４、並びに方法／機能を実施するのにあらゆる適切なコンピュータデバイスを使用することができ、当業者は理解するように、一般的なコンピュータデバイス上でのソフトウエアの単なる実行よりも非常に多い方法でハードウエア、ソフトウエア、及びファームウエアの修正を通して本明細書に記載の作動及び機能を実行するための特定のシステムに変換することができる。そのようなコンピュータデバイス１０００の一例示的実施例が図１０に示されている。コンピュータデバイス１０００は、単に、好ましいコンピュータ環境の例示的実施例であり、決して本発明の範囲を限定するものではない。図１０に示されている「コンピュータデバイス」は、当業者は理解するように、「ワークステーション」、「サーバ」、「ラップトップ」、「デスクトップ」、「手持ち式デバイス」、「モバイル機器」、「タブレットコンピュータ」、又は他のコンピュータデバイスを含むことができる。コンピュータデバイス１０００が例示目的に示されていることを考慮すると、本発明の実施形態は、本発明の単一実施形態を実施するのにあらゆる数の異なる方法であらゆる数のコンピュータデバイス１０００を利用することができる。従って、本発明の実施形態は、当業者は理解するように、単一コンピュータデバイス１０００に限定されるものではなく、例示するコンピュータデバイス１０００の単一タイプの実施形態又は構成に限定されるものでもない。
【００９６】
コンピュータデバイス１０００は、直接的又は間接的に以下の例示的構成要素、すなわち、メモリ１０１２、１又は２以上のプロセッサ１０１４、１又は２以上の提示構成要素１０１６、入出力ポート１０１８、入出力構成要素１０２０、及び電源１０２４のうちの１又は２以上に結合することができるバス１０１０を含むことができる。当業者は、バス１０１０は、アドレスバス、データバス、又はそれらのあらゆる組合せのような１又は２以上のバスを含むことができることを理解するであろう。当業者はまた、意図される用途及び特定の実施形態の使用方法に応じて、これらの構成要素のうちの複数を単一デバイスによって実施することができることを理解するであろう。同様に、一部の場合に、単一構成要素は、複数のデバイスによって実施することができる。従って、図１０は、単に本発明の１又は２以上の実施形態を実施するのに使用することができる例示的コンピュータデバイスを示しており、決して本発明を限定するものではない。
【００９７】
コンピュータデバイス１０００は、様々なコンピュータ可読媒体を含むか又はそれらと相互作用することができる。例えば、コンピュータ可読媒体は、ランダムアクセスメモリ（ＲＡＭ）と、読取専用メモリ（ＲＯＭ）と、電子的消去可能プログラマブル読取専用メモリ（ＥＥＰＲＯＭ）と、フラッシュメモリ又は他のメモリ技術と、ＣＤＲＯＭ、デジタル多用途ディスク（ＤＶＤ）、又は他の光学的又はホログラフィック媒体と、磁気カセット、磁気テープ、磁気ディスクストレージ、又は情報を符号化するのに使用することができてコンピュータデバイス１０００によってアクセス可能な他の磁気ストレージデバイスとを含むことができる。
【００９８】
メモリ１０１２は、揮発性及び／又は不揮発性メモリの形態のコンピュータストレージ媒体を含むことができる。メモリ１０１２は、着脱可能、着脱不能、又はそれらのあらゆる組合せとすることができる。例示的ハードウエアデバイスは、ハードドライブ、半導体メモリ、光ディスクドライブのようなデバイスである。例えば、メモリ１０１２は、自動化サービスシステム２０２によってアクセス可能なクラウドベースのデータストレージとすることができる。コンピュータデバイス１０００は、メモリ１０１２、様々なＩ／Ｏ構成要素１０１６のような構成要素からデータを読み取る１又は２以上のプロセッサを含むことができる。提示構成要素１０１６は、データを示すものをユーザ又は他のデバイスに提示する。例示的提示構成要素は、表示デバイス、スピーカ、印刷構成要素、振動構成要素などを含む。
【００９９】
Ｉ／Ｏポート１０１８は、コンピュータデバイス１０００がＩ／Ｏ構成要素１０２０のような他のデバイスに論理的に結合されることを可能にすることができる。Ｉ／Ｏ構成要素１０２０の一部は、コンピュータデバイス１０００に組み込むことができる。そのようなＩ／Ｏ構成要素１０２０の例は、マイクロホン、ジョイスティック、記録デバイス、ゲームパッド、衛星放送受信アンテナ、スキャナ、プリンタ、無線デバイス、ネットワーキングデバイスなどを含む。
【０１００】
本明細書に使用される「含む」及び「含んでいる」という用語は、限定的なものではなく包括的なものであると解釈されることを意図している。本明細書に使用される「例示」、「例」、及び「例証」という用語は、「一例、事例、又は例証としての役割を果たす」ことを意味することを意図しており、他の構成に対して好ましいか又は有利な構成を示すもの又は示さないものとして解釈すべきではない。本明細書に使用される「約」及び「ほぼ」という用語は、特性、パラメータ、サイズ、及び寸法の変動のような主観的又は客観的な値の範囲の上限及び下限に存在する可能性がある変動を網羅することを意図している。１つの非限定的な例では、「約」及び「ほぼ」という用語は、プラス１０パーセント又はそれ未満、又はマイナス１０パーセント又はそれ未満を意味する。１つの非限定的な例では、「約」及び「ほぼ」という用語は、含まれる関連分野の当業者によってみなされるのに十分に近いことを意味する。本明細書に使用される「実質的に」という用語は、当業者は理解するように、作用、特性、性質、状態、構造、品目、又は結果の完全又はほぼ完全な範囲又は程度を指す。例えば、「実質的に」円形の物体は、その物体が数学的に決定することができる限度までの真円、又は当業者によって認識又は理解されるほぼ円形のいずれかであることを意味する。絶対的完全性からの正確な許容可能逸脱度は、一部の場合に特定の状況に依存することがある。しかし、一般的に、完全性の近さは、絶対的及び全体的な完全性が実施される又は得られる場合と同じ全体的結果を有するものである。「実質的に」の使用は、当業者は理解するように、作用、特性、性質、状態、構造、品目、又は結果の完全な又はほぼ完全な欠如を指すように負の意味で利用される場合に等しく適用可能である。
【０１０１】
当業者には、以上の説明から本発明の多数の修正及び代替実施形態が明らかであろう。従って、この説明は、例示としてのみ解釈しなければならず、本発明を実施するのに最適な形態を当業者に教示することを目的とする。構造の細部は、本発明の主旨から逸脱することなく実質的に変更することができ、特許請求の範囲に含まれる全ての修正例の限定的使用が留保される。本明細書内では、明確で簡潔な仕様を説明することができるように実施形態を説明したが、実施形態は、本発明から逸脱することなく様々に組み合わせる又は切り離すことができることを意図しており、これは理解されるであろう。本発明は、特許請求の範囲及び適用可能な法律の原則によって必要とされる範囲にのみ限定されることを意図している。
【０１０２】
特許請求の範囲は、本明細書に説明した本発明の全ての一般的及び特定の特徴、及び言語の問題としてそれに収まると言われる本発明の範囲の全ての記述を網羅するものであることも理解されるものとする。
【符号の説明】
【０１０３】
３００  店舗
３０２  買物セクション
３０４  自動化履行セクション
３０８  配達履行セクション
６００  模擬市場
【図１】
2020514203.tif 000003
【図２】
2020514203.tif 000004
【図３Ａ】
2020514203.tif 000005
【図３Ｂ】
2020514203.tif 000006
【図３Ｃ】
2020514203.tif 000007
【図４Ａ】
2020514203.tif 000008
【図４Ｂ】
2020514203.tif 000009
【図４Ｃ】
2020514203.tif 000010
【図５】
2020514203.tif 000011
【図６Ａ】
2020514203.tif 000012
【図６Ｂ】
2020514203.tif 000013
【図６Ｃ】
2020514203.tif 000014
【図７】
2020514203.tif 000015
【図８】
2020514203.tif 000016
【図９】
2020514203.tif 000017
【図１０】
2020514203.tif 000018
【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
自動化店舗であって、
特定の交換不能商品の抜き取りのために１又は２以上の交換不能商品を顧客又は顧客プロキシに提示するように構成された市場と、
前記市場から物理的に分離された自動化履行セクションであって、前記顧客によって選択された１又は２以上の交換可能商品の注文を受信するように構成され、保管構造からの容器の保管及び取り出しが可能な少なくとも１つの移動ロボットを含む自動化履行システムであって、該少なくとも１つの移動ロボットが、前記１又は２以上の交換可能商品を含む１又は２以上の容器を抜き取り、ピッカーが、前記顧客への配達のために該１又は２以上の交換可能商品を１又は２以上の注文品容器に入れる、自動化履行システムを含む、自動化履行セクションと、
前記１又は２以上の注文品容器を前記自動化履行セクションから前記顧客又は配達プロキシまで配達するように構成された配達セクションと、
を含み、
前記配達セクションは、前記少なくとも１つの移動ロボットから注文品トートを受け取り保管するように構成された第１の側を有する注文品配送ステーションを含み、該注文品配送ステーションは、前記第１の側とは異なる第２の側を有し、前記注文品トートは前記顧客によって前記第２の側からアクセス可能であることを特徴とする自動化店舗。
【請求項２】
前記注文品配送ステーションは、前記店舗の外部にあることを特徴とする請求項１に記載の自動化店舗。
【請求項３】
前記注文品配送ステーションの前記第１の側が前記店舗の内部にあり、前記注文転送ステーションの前記第２の側が前記店舗の外部にあることを特徴とする請求項１に記載の自動化店舗。
【請求項４】
前記注文品配送ステーションは、単一の顧客のための複数の注文品容器を含み、前記複数の注文品容器は、異なる温度ゾーンから得られた顧客品目を含むことを特徴とする請求項１に記載の自動化店舗。
【請求項５】
前記注文品配送ステーションは、３以上の注文品容器を含むことを特徴とする請求項１に記載の自動化店舗。
【請求項６】
前記配達セクションは、少なくとも２組の注文品配送ステーションを含み、一方は店舗内の顧客によりアクセス可能であり、他方は店舗外での引き取りのために顧客によりアクセス可能であることを特徴とする請求項１に記載の自動化店舗。
【請求項７】
前記注文品配送ステーションの前記第２の側は、駐車プラットフォーム又は駐車場からアクセス可能であることを特徴とする請求項１に記載の自動化店舗。
【請求項８】
前記少なくとも１つの移動ロボットは、顧客の駐車した自動車に位置する前記注文品配送ステーションに、注文品容器を配達するように構成されたロボットを含むことを特徴とする請求項１に記載の自動化店舗。
【請求項９】
前記ロボットは、前記自動化履行セクションから、顧客の駐車した自動車に位置する前記注文品配送ステーションに、移動するようにさらに構成されたことを特徴とする請求項８に記載の自動化店舗。
【請求項１０】
前記市場は、前記自動化履行セクションの下方に位置することを特徴とする請求項１に記載の自動化店舗。
【請求項１１】
前記市場は、前記自動化履行セクションの上方に位置することを特徴とする請求項１に記載の自動化店舗。
【請求項１２】
前記少なくとも１つの移動ロボットは、前記保管構造に対して水平及び垂直に移動して、前記保管構造の異なる水平及び垂直位置から容器を保管して取り出すように構成されたことを特徴とする請求項１に記載の自動化店舗。
【請求項１３】
前記保管構造は、通路によって分離され、複数の保管レベルを有する複数のラック構造を含むことを特徴とする請求項１に記載の自動化店舗。
【請求項１４】
前記市場は、交換可能商品および交換不能商品に関する情報を表示する複数のディスプレイ画面を含むことを特徴とする請求項１に記載の自動化店舗。
【請求項１５】
前記市場における前記複数のディスプレイ画面のうちの１つのディスプレイ画面は、交換不能商品に隣接して配置され、
前記１つのディスプレイ画面は、前記ディスプレイに隣接する交換不能商品に関連する該交換不能商品の情報を表示することを特徴とする請求項１４に記載の自動化店舗。
【請求項１６】
前記注文品配送ステーションは、前記自動化店舗内の冷蔵庫への移動ロボットによる転送のために、顧客又は顧客プロキシから商品を受け取るように構成されたことを特徴とする請求項１に記載の自動化店舗。
【請求項１７】
自動化店舗での自動化注文履行の方法であって、
１又は２以上の交換可能商品に対する少なくとも１つの注文を顧客又は該顧客のためのプロキシから受信する段階と、
前記１又は２以上の交換可能商品を収容する製品容器を在庫から引き出し、かつ該製品容器をワークステーションに配達するために１又は２以上のロボットを派遣する段階と、
前記ワークステーションで前記１又は２以上の交換可能商品を前記製品容器から前記少なくとも１つの注文に関連付けられた１又は２以上の注文品容器のうちのある注文品容器に移す段階と、
前記顧客又は該顧客のためのプロキシによって抜き取られた１又は２以上の交換可能商品を、前記１又は２以上の注文品容器に追加する段階と、
前記１又は２以上の注文品容器を、第１及び第２の側を含む注文品配送ステーションにおける前記顧客又は配達プロキシまで配達する段階であって、前記１又は２以上のロボットは、前記注文品配送ステーションの前記第１の側に、前記注文を含む前記１又は２以上の注文品容器を配達し、前記顧客又は前記配達プロキシは、前記注文品配送ステーションの前記第２の側から前記１又は２以上の注文品容器にアクセスする、段階と、
を含むことを特徴とする方法。
【請求項１８】
前記少なくとも１つの注文は、遠隔場所から発するオンライン注文及び前記自動化店舗から発する対面注文のうちの少なくとも一方であることを特徴とする請求項１７に記載の方法。
【請求項１９】
自動化店舗サービスモデルを実施するためのシステムであって、
少なくとも１人の顧客又は該顧客のためのプロキシから少なくとも１つの注文を受信するように構成された注文処理ツールと、
選択可能な複数の個別の交換不能商品に関する画像及び測定情報を表示するディスプレイであって、１又は２以上の交換不能商品のための前記画像及び測定情報に基づいて、前記顧客又は該顧客のためのプロキシに、前記注文処理ツールを使用して１又は２以上の特定の交換不能商品を選択させる、ディスプレイと、
前記少なくとも１人の顧客又はプロキシピッカーによって手で抜き取られた、又は、前記ディスプレイから１又は２以上の交換不能商品の前記画像及び前記測定情報を表示した後、前記少なくとも１人の顧客又はプロキシピッカーによって選択された、１又は２以上の交換不能商品を集計するように構成された交換不能商品履行ツールと、
前記少なくとも１つの注文内に含まれる１又は２以上の交換可能商品を抜き取るように自動化ロボットに命令するように構成された自動化サービス履行ツールと、
前記顧客又は該顧客のための配達プロキシへの配達のために、前記手で抜き取られた１又は２以上の交換不能商品を、前記１又は２以上の交換可能商品と組み合せる配達セクションと、
を含むことを特徴とするシステム。
【請求項２０】
自動化店舗で買物をする方法であって、
買物端末を利用して自動履行のための１又は２以上の交換可能商品を発注する段階と、
交換不能商品履行セクション内で１又は２以上の交換不能商品を収集して集計する段階と、
を含み、
１又は２以上の交換不能商品を収集して集計する前記段階は、
前記１又は２以上の交換不能商品のうちの交換不能商品に関連付けられた第１の識別子を取り込む段階と、
前記交換不能商品を計量するためのスケールを識別する第２の識別子を取り込む段階と、
前記スケール上で前記交換不能商品を計量する段階と、
前記交換不能商品の前記第１の識別子を、該交換不能商品を計量する前記スケールの前記第２の識別子に関連付ける段階と、
前記第１の識別子、前記第２の識別子、前記交換不能商品の重量、及び前記第１及び第２の識別子の前記関連付けに基づいて前記交換不能商品の価格を決定する段階と、
前記１又は２以上の交換可能商品の注文を受信する段階と、
前記１又は２以上の交換可能商品と前記１又は２以上の交換不能商品の注文を組み合わせる段階と、
を含むことを特徴とする方法。
【請求項２１】
前記第１及び第２の識別子を関連付ける前記段階は、入力デバイスを用いた該第２の識別子の前記取り込みを該同じ入力デバイスを用いた該第１の識別子の前記取り込みの直後に検出する段階を含むことを特徴とする請求項２０に記載の方法。
【請求項２２】
前記１又は２以上の交換可能商品及び前記１又は２以上の交換不能商品を検証する段階を更に含むことを特徴とする請求項２０に記載の方法。
【請求項２３】
前記１又は２以上の交換可能商品及び前記１又は２以上の交換不能商品に対する支払を受信する段階を更に含むことを特徴とする請求項２０に記載の方法。
【国際調査報告】
2020514203.tif 000019
2020514203.tif 000020
2020514203.tif 000021